(57)【要約】【課題】体感器による不正行為が行われる場合の周期的な操作に着目し、抽選に関する構成を変更することなく、体感器による不正行為を防止することが可能な遊技機を提供する。【解決手段】遊技機は、スタートスイッチ30に係る操作信号とスタートスイッチ30以外のいずれかのスイッチに係る信号との入力間隔であって、連続して入力される２個の信号の入力間隔が、予め定められた所定時間以内である場合に、エラー処理を行うためのエラー制御手段210を備える。【選択図】図９
2010136755.tif 000002
【特許請求の範囲】
【請求項１】
周囲に複数の図柄が付された複数の回転リールと、
全ての回転リールの回転を開始させるためのものであって、遊技者の操作に基づき操作信号を出力するスタートスイッチと、
各回転リールに対応して設けられ、かつ各回転リールの回転を停止させるためのものであって、遊技者の操作に基づき操作信号を出力するストップスイッチと、
遊技媒体を投入するための遊技媒体投入口と、
遊技媒体投入口から投入される遊技媒体を検知するとともに、遊技媒体投入口から投入される遊技媒体のうち所定数までの遊技媒体をベットし、所定数を超えて投入される遊技媒体をクレジットするためのものであって、遊技媒体を検知すると検知信号を出力する投入スイッチと、
投入されてクレジットされている遊技媒体の数を減じて操作に応じた数の遊技媒体をベットするためのものであって、遊技者の操作に基づき操作信号を出力するベットスイッチと、
遊技の制御を行うための制御装置と、を備え、
制御装置は、
スタートスイッチに係る操作信号とスタートスイッチ以外のいずれかのスイッチに係る信号との入力間隔であって、連続して入力される２個の信号の入力間隔が、予め定められた所定時間以内である場合に、エラー処理を行うためのエラー制御手段を備えていることを特徴とする遊技機。
【請求項２】
周囲に複数の図柄が付された複数の回転リールと、
全ての回転リールの回転を開始させるためのものであって、遊技者の操作に基づき操作信号を出力するスタートスイッチと、
各回転リールに対応して設けられ、かつ各回転リールの回転を停止させるためのものであって、遊技者の操作に基づき操作信号を出力するストップスイッチと、
遊技媒体を投入するための遊技媒体投入口と、
遊技媒体投入口から投入される遊技媒体を検知するとともに、遊技媒体投入口から投入される遊技媒体のうち所定数までの遊技媒体をベットし、所定数を超えて投入される遊技媒体をクレジットするためのものであって、遊技媒体を検知すると検知信号を出力する投入スイッチと、
投入されてクレジットされている遊技媒体の数を減じて操作に応じた数の遊技媒体をベットするためのものであって、遊技者の操作に基づき操作信号を出力するベットスイッチと、
遊技の制御を行うための制御装置と、を備え、
所定数の遊技媒体をベットすることで遊技開始可能となり、所定数の遊技媒体をベットした後のスタートスイッチの操作によって全ての回転リールの回転が開始し、ストップスイッチの操作によって対応する回転リールの回転が停止し、全ての回転リールの回転が停止した際の図柄の配列によって遊技媒体を払い出す遊技機であって、
制御装置は、
いずれかのスイッチに係る信号の入力から、前記スイッチに係る信号の後に入力される前記スイッチ以外のいずれかのスイッチに係る信号の入力までの時間間隔を計測するための時間間隔計測手段と、
時間間隔計測手段により計測された時間間隔と以前に計測された同一スイッチ間の時間間隔との時間差が予め定められた所定範囲内であるか否かを判断するための時間間隔判断手段と、
時間間隔判断手段により同一スイッチ間の時間間隔の時間差が所定範囲内であると判断された場合に、エラー処理を行うためのエラー制御手段と、を備えていることを特徴とする遊技機。
【発明の詳細な説明】
【技術分野】
【０００１】
本発明は、遊技機に関し、更に詳しくは、スタートスイッチに係る操作信号とスタートスイッチ以外のいずれかのスイッチに係る信号との入力間隔であって、連続して入力される２個の信号の入力間隔が、所定時間以内であった場合にエラー処理を行う遊技機に関する。
【背景技術】
【０００２】
従来、この種の遊技機、例えば、スロットマシンには、周囲に複数の図柄が付された複数の回転リールと、全ての回転リールの回転を開始させるためのスタートレバーと、各回転リールに対応して設けられ、かつ各回転リールの回転を停止させるためのストップボタンと、遊技の制御を行うための制御装置と、が備えられている。このようなスロットマシンでは、制御装置において、スタートレバーの操作を契機に複数の当選役のいずれかに当選かまたはハズレかの抽選が行われ、その抽選の結果に応じて、回転リールの停止制御、遊技媒体の払い出し、特別遊技の開始や終了等の制御が行われるものとなっている。
そして、前記複数の当選役のいずれかに当選かまたはハズレかの抽選は、ループカウンタにより所定の領域内（例えば、０〜６５５３５）で順次カウントされる数値を、スタートレバーの操作を契機に抽出し、当該抽出した数値と、ループカウンタのカウントする数値を全領域として当選及びハズレの領域を規定した当選判定テーブルとを照合して、当選かハズレかを決定するものとなっている。また、ループカウンタは、１秒間に所定の領域を約７００万回繰り返しカウントするよう形成されている。このため、ループカウンタがカウントする周期は非常に短く、また、スタートレバーが操作されるタイミングは通常ランダムであることから、スタートレバーの操作を契機に抽出される数値は、実質的に乱数として取り扱うことができる。
【０００３】
ところで、従来からスロットマシンに対する不正行為として、「打ち込み機」による不正行為や、「体感器」による不正行為等が有り、これらの不正行為に対して何らかの対策をスロットマシンに設けることが求められている。
「体感器」による不正行為とは、ループカウンタの周期性を利用して、所定の当選役に当選する確率を予め定められた値以上に高め、不当に利益を得る行為である。具体的には、いわゆる「体感器」と呼ばれる装置の助けを借りて、スタートレバーの操作を行うものである。例えば、スタートレバーにピアノ線などを引っ掛け、引っ掛けたピアノ線をソレノイドに固定し、ソレノイドを低周波発信器に連動させることで、低周波発信器の低周波発信に合わせてソレノイドを作動させてピアノ線でスタートレバー引っ張ることにより行われるものである。また、例えば、低周波治療器を腕に取り付け、低周波の微弱電流を利用して直接筋肉を動かしてスタートレバーを操作することにより行われるものである。
そして、低周波発信器、低周波発信器に連動するソレノイド、ソレノイドに固定されるピアノ線、から構成される装置や、低周波治療器などが、「体感器」と呼ばれている。
【０００４】
上述の如く、「体感器」の助けを借りることで、スタートレバーの操作のタイミングを、ループカウンタのカウント周期に同調させることが可能となり、ループカウンタがカウントする数値のうち同一の数値を何度も連続して抽出することが可能となる。すなわち、所定の当選役に当選する確率を予め定められた値以上に高めることが可能になるものである。
そして、「体感器」による不正行為を防止するために、ループカウンタのカウント周期を順次変更する遊技機がある（特許文献１参照）。
また、「打ち込み機」による不正行為とは、遊技店側が客寄せのために行う行為であり、いわゆる「打ち込み機」と呼ばれる装置をスロットマシンの制御装置に接続して、例えば、特別遊技に移行可能な特別遊技役に当選するまで自動的に遊技を行わせ、特別遊技役が内部当選している状態で営業を開始する行為である。具体的には、「打ち込み機」による不正行為では、「打ち込み機」と呼ばれる装置を制御装置に接続し、この「打ち込み機」からスタートレバー等の各スイッチに係る信号に相当する信号を制御装置に入力することで、自動的に遊技を行わせるものとなっている。
【０００５】
そして、「打ち込み機」による不正行為を防止するために、特別遊技役に内部当選している状態でスロットマシンの電源が遮断された後に再度電源が投入された場合に、特別遊技役に当選している旨を報知する遊技機がある（特許文献２参照）。
【特許文献１】特開２００２−３２０７１８
【特許文献２】特開２００８−１６７８６５
【発明の開示】
【発明が解決しようとする課題】
【０００６】
しかしながら、特許文献１の発明は、「体感器」による不正行為を確実に防止する点において不十分であった。また、抽選に関する構成は、なるべく変更したくないという要望もあった。
また、特許文献２の発明は、「打ち込み機」による不正行為そのものを防止するものではないため、「打ち込み機」による不正行為を防止するのに十分ではなかった。
そこで、各請求項にそれぞれ記載された各発明は、上述のような事情に鑑みてなされたものであり、その目的とするところは、次の点にある。
（請求項１）
すなわち、請求項１記載の発明は、「体感器」による不正行為が行われる場合の周期的な操作に着目し、抽選に関する構成を変更することなく、「体感器」による不正行為を防止することが可能な遊技機を提供しようとするものである。
（請求項２）
すなわち、請求項２記載の発明は、「打ち込み機」による不正行為を防止することが可能な遊技機を提供しようとするものである。
【課題を解決するための手段】
【０００７】
請求項に記載された発明は、上記した各目的を達成するためになされたものであり、各発明の特徴点を図面に示した発明の実施の形態を用いて、以下に説明する。
なお、符号は、発明の実施の形態において用いた符号を示し、本発明の技術的範囲を限定するものではない。
（請求項１）
（特徴点）
請求項１記載の発明は、周囲に複数の図柄61が付された複数の回転リール40と、全ての回転リール40の回転を開始させるためのものであって、遊技者の操作に基づき操作信号を出力するスタートスイッチ30と、各回転リール40に対応して設けられ、かつ各回転リール40の回転を停止させるためのものであって、遊技者の操作に基づき操作信号を出力するストップスイッチ50と、遊技媒体を投入するための遊技媒体投入口19と、遊技媒体投入口19から投入される遊技媒体を検知するとともに、遊技媒体投入口19から投入される遊技媒体のうち所定数までの遊技媒体をベットし、所定数を超えて投入される遊技媒体をクレジットするためのものであって、遊技媒体を検知すると検知信号を出力する投入スイッチ15と、投入されてクレジットされている遊技媒体の数を減じて操作に応じた数の遊技媒体をベットするためのものであって、遊技者の操作に基づき操作信号を出力するベットスイッチ16と、遊技の制御を行うための制御装置20と、を備え、制御装置20は、スタートスイッチ30に係る操作信号とスタートスイッチ30以外のいずれかのスイッチに係る信号との入力間隔であって、連続して入力される２個の信号の入力間隔が、予め定められた所定時間以内である場合に、エラー処理を行うためのエラー制御手段210を備えていることを特徴とする。
【０００８】
ここで、「遊技機」としては、遊技メダルを用いて遊技が行われるスロットマシン10や、遊技球を用いてスロットマシン10と同様の遊技が行われるパロット（登録商標）遊技機などが挙げられる。
また、「回転リール」は、周囲に複数（例えば、２１個）の図柄61が付されたものであって、複数個備えられるものである。
また、「スタートスイッチ」は、全ての回転リール40の回転を開始させるためのものであって、遊技者の操作に基づき操作信号を出力するものである。
ここで、「遊技者の操作に基づき操作信号を出力する」とは、遊技者により操作されると、所定数の遊技媒体をベットしているか、していないか、或いは、遊技中であるか、遊技中でないかを問わず、必ず操作信号を出力することを意味するものである。
【０００９】
なお、「遊技中」とは、以下の通りである。
スロットマシン10における遊技は、スタートスイッチ30の操作により全ての回転リール40の回転が開始して遊技が開始されるとともに、ストップスイッチ50の操作により対応する回転リール40の回転が停止し、全ての回転リール40の回転が停止した際の図柄61の配列に応じて所定の利益を遊技者に付与する、または付与しないことで、１回の遊技が終了するものである。
したがって、「遊技中」とは、スタートスイッチ30の操作により遊技が開始してから、全ての回転リール40の回転が停止した際の図柄61の配列に応じて所定の利益を遊技者に付与する、または付与しないことで、遊技が終了するまでを意味するものである。
【００１０】
また、「ストップスイッチ」は、各回転リール40に対応して設けられ、かつ各回転リール40の回転を停止させるためのものであって、遊技者の操作に基づき操作信号を出力するものである。
ここで、「遊技者の操作に基づき操作信号を出力する」とは、上述の通りである。
また、「遊技媒体」は、所定数をベットすることで遊技開始可能となり、遊技結果に基づいて、所定数が遊技者に払い出される価値物である。例えば、遊技媒体としては、遊技メダルや、遊技球（パチンコ球）などが挙げられる。
また、「遊技媒体投入口」は、遊技媒体を投入するためのものである。例えば、スロットマシン10において、遊技媒体投入口19は、遊技メダルを投入するためのメダル投入口18である。
【００１１】
また、「投入スイッチ」は、遊技媒体投入口19から投入される遊技媒体を検知するとともに、遊技媒体投入口19から投入される遊技媒体のうち所定数までの遊技媒体をベットし、所定数を超えて投入される遊技媒体をクレジットするためのものであって、遊技媒体を検知すると検知信号を出力するものである。
また、「ベットスイッチ」は、投入されてクレジットされている遊技媒体の数を減じて操作に応じた数の遊技媒体をベットするためのものであって、遊技者の操作に基づき操作信号を出力するものである。
ここで、「遊技者の操作に基づき操作信号を出力する」とは、上述の通りである。
【００１２】
また、「制御装置」は、遊技の制御を行うためのものである。例えば、ＣＰＵ、ＲＯＭ、ＲＡＭ、Ｉ／Ｏ等の電子部品を備えた基板等によって構成することができる。
また、「エラー制御手段」は、スタートスイッチ30に係る操作信号とスタートスイッチ30以外のいずれかのスイッチに係る信号との入力間隔であって、連続して入力される２個の信号の入力間隔が、予め定められた所定時間以内である場合に、エラー処理を行うためのものである。
ここで、「所定時間」は、予め定められた時間であり、例えば、０．１秒等を設定することができる。
【００１３】
また、「エラー処理」は、異常を報知して遊技店の店員等に不正行為が行われたことを知らせるとともに、不正行為による損害を防止するための処理である。例えば、エラー処理としては、遊技の進行を不能化するとともに、エラー報知を行うようにすることができる。
なお、「遊技の進行を不能化する」とは、以下の通りである。
通常、遊技機、例えばスロットマシン10における各種スイッチ（例えば、ストップスイッチ50等）は、遊技の進行に合わせて、遊技者が操作を行うことによりその機能が動作する操作有効状態となったり、遊技者が操作を行ってもその機能が動作しない操作無効状態となったりするものである。
【００１４】
具体的に説明すると、スロットマシン10においては、遊技に必要な所定枚数の遊技メダルがベットされるとスタートスイッチ30が操作有効状態となり、操作有効状態となったスタートスイッチ30が操作されると回転リール40の回転が開始し、回転している回転リール40の回転速度が予め定められた一定速度に達するとストップスイッチ50が操作有効状態となり、操作有効状態となったストップスイッチ50が操作されると対応する回転リール40の回転が停止し、全ての回転リール40の回転が停止した際の図柄61の配列によって付与する遊技メダルの払い出し終了、又は遊技メダルを払い出さない場合には、所定時間経過により、ベットスイッチ16が操作有効状態となるとともに、投入スイッチ15が投入される遊技メダルを検知可能となる。
【００１５】
また、遊技機、例えばスロットマシン10における遊技は、通常、前記各種スイッチ（例えば、ストップスイッチ50等）の操作等に応じて種々の処理が行われることにより、進行していくものである。例えば、スタートスイッチ30の操作を契機に当選抽選処理が行われたり、ストップスイッチ50の操作を契機に回転停止処理が行われたり、あるいは、全ての回転リール40の回転が停止したことを契機に入賞判定処理が行われたりするものである。
すなわち、「遊技の進行を不能化する」とは、遊技の進行に合わせて、通常、操作有効状態となるはずの各種スイッチを操作無効状態とする、あるいは、遊技の進行に合わせて、通常行われるはずの処理を一時保留することにより、遊技が進行しないようにするということを意味するものである。換言すれば、遊技者が、遊技の遊技を進めることができなくなることを意味するものである。
（作用）
本発明に係る遊技機のスタートスイッチ30、ストップスイッチ50、及びベットスイッチ16は、所定数の遊技媒体をベットしているか、していないか、或いは、遊技中であるか、遊技中でないかを問わず、遊技者により操作されると、操作信号を出力するものとなっている。また、投入スイッチ15は、遊技媒体を検知すると検知信号を出力するものとなっている。そして、本発明に係る遊技機では、エラー制御手段210は、スタートスイッチ30に係る操作信号とスタートスイッチ30以外のいずれかのスイッチに係る信号との入力間隔であって、連続して入力される２個の信号の入力間隔が、予め定められた所定時間以内である場合に、エラー処理を行う。
【００１６】
ここで、「体感器」による不正行為が行われる場合には、スタートスイッチ30は、所定数の遊技媒体をベットしているか、していないか、或いは、遊技中であるか、遊技中でないかを問わず、周期的に操作されることとなる。すなわち、「体感器」による不正行為が行われる場合には、スタートスイッチ30の操作と、スタートスイッチ30以外のいずれかのスイッチ（例えば、ストップスイッチ50等）の操作又は検知とが、ほぼ同時に行われる場合がある。
したがって、本発明によれば、スタートスイッチ30に係る操作信号とスタートスイッチ30以外のいずれかのスイッチに係る信号との入力間隔が所定時間以内、すなわち、スタートスイッチ30の操作とスタートスイッチ30以外のいずれかのスイッチの操作又は検知とが、ほぼ同時に行われた場合に、エラー処理を行うので、「体感器」による不正行為を防止することが可能となる。
【００１７】
また、このような構成としても、「体感器」による不正行為が行われていない場合には、通常、スタートスイッチ30の操作とスタートスイッチ30以外のいずれかのスイッチの操作又は検知とが、ほぼ同時に行われるということは起こりにくいので、正規の遊技者の利便性を損なうことはない。仮に、スタートスイッチ30の操作とスタートスイッチ30以外のいずれかのスイッチの操作又は検知とが、ほぼ同時に行われたとしても、不自然な動作なので不正行為が行われたと判定してもさほど問題となることはない。
また、「体感器」による不正行為を行う遊技者は、不正行為がばれないように素早く遊技を行う傾向にある。しかしながら、本発明によれば、「体感器」による不正行為を行う遊技者は、スタートスイッチ30以外のいずれかのスイッチ（例えば、ストップスイッチ50）を操作する際に、周期的に行われるスタートスイッチ30の操作を気にして、タイミングを計って操作を行わなければならなくなる。したがって、「体感器」による不正行為を行う遊技者は、遊技を素早く行うことができなくなり、遊技店の店員等により不正行為を発見される可能性が高くなる。すなわち、「体感器」による不正行為をより確実に防止することが可能となる。
（請求項２）
（特徴点）
請求項２記載の発明は、周囲に複数の図柄61が付された複数の回転リール40と、全ての回転リール40の回転を開始させるためのものであって、遊技者の操作に基づき操作信号を出力するスタートスイッチ30と、各回転リール40に対応して設けられ、かつ各回転リール40の回転を停止させるためのものであって、遊技者の操作に基づき操作信号を出力するストップスイッチ50と、遊技媒体を投入するための遊技媒体投入口19と、遊技媒体投入口19から投入される遊技媒体を検知するとともに、遊技媒体投入口19から投入される遊技媒体のうち所定数までの遊技媒体をベットし、所定数を超えて投入される遊技媒体をクレジットするためのものであって、遊技媒体を検知すると検知信号を出力する投入スイッチ15と、投入されてクレジットされている遊技媒体の数を減じて操作に応じた数の遊技媒体をベットするためのものであって、遊技者の操作に基づき操作信号を出力するベットスイッチ16と、遊技の制御を行うための制御装置20と、を備え、所定数の遊技媒体をベットすることで遊技開始可能となり、所定数の遊技媒体をベットした後のスタートスイッチ30の操作によって全ての回転リール40の回転が開始し、ストップスイッチ50の操作によって対応する回転リール40の回転が停止し、全ての回転リール40の回転が停止した際の図柄61の配列によって遊技媒体を払い出す遊技機であって、制御装置20は、いずれかのスイッチに係る信号の入力から、前記スイッチに係る信号の後に入力される前記スイッチ以外のいずれかのスイッチに係る信号の入力までの時間間隔を計測するための時間間隔計測手段220と、時間間隔計測手段220により計測された時間間隔と以前に計測された同一スイッチ間の時間間隔との時間差が予め定められた所定範囲内であるか否かを判断するための時間間隔判断手段230と、時間間隔判断手段230により同一スイッチ間の時間間隔の時間差が所定範囲内であると判断された場合に、エラー処理を行うためのエラー制御手段210と、を備えていることを特徴とする。
【００１８】
ここで、「遊技機」、「遊技媒体」、「回転リール」、「スタートスイッチ」、「ストップスイッチ」、「遊技媒体投入口」、「投入スイッチ」、「ベットスイッチ」、及び「制御装置」については、上述の通りである。
また、「時間間隔計測手段」は、１回の遊技におけるいずれかのスイッチに係る信号の入力から、前記スイッチに係る信号の後に入力される前記スイッチ以外のいずれかのスイッチに係る信号の入力までの時間間隔を計測するためのものである。
また、「時間間隔判断手段」は、時間間隔計測手段220により計測された時間間隔と以前に計測された同一スイッチ間の時間間隔との時間差が予め定められた所定範囲内であるか否かを判断するためのものである。
【００１９】
ここで、「同一スイッチ間」は、時間間隔計測手段220により計測される時間間隔における、計測開始及び終了の契機に係る信号が、以前に計測された時間間隔における、計測開始及び終了の契機に係る信号と同一であるということである。
また、「所定範囲」は、予め定められた時間であり、例えば、０．１秒等を設定することができる。
また、「エラー制御手段」は、時間間隔判断手段230により同一スイッチ間の時間間隔の時間差が所定範囲内であると判断された場合に、エラー処理を行うためのものである。
ここで、「エラー処理」については、上述の通りである。
（作用）
本発明に係る遊技機では、時間間隔計測手段220により、１回の遊技におけるいずれかのスイッチに係る信号の入力から、前記スイッチに係る信号の後に入力される前記スイッチ以外のいずれかのスイッチに係る信号の入力までの時間間隔が計測される。例えば、時間間隔計測手段220は、スタートスイッチ30に係る操作信号の入力から、ストップスイッチ50に係る操作信号の入力までの時間間隔を計測する。そして、時間間隔判断手段230により、時間間隔計測手段220により計測された時間間隔と以前に計測された同一スイッチ間の時間間隔との時間差が予め定められた所定範囲内であるか否かが判断される。そして、時間間隔判断手段230により同一スイッチ間の時間間隔の時間差が所定範囲内であると判断された場合に、エラー制御手段210は、エラー処理を行う。
【００２０】
ここで、「打ち込み機」による不正行為が行われる場合には、「打ち込み機」からスタートスイッチ30等の各スイッチに係る信号に相当する信号が機械的に制御装置20に入力されることとなる。すなわち、１回の遊技におけるいずれかのスイッチに係る信号の入力から、前記スイッチに係る信号の後に入力される前記スイッチ以外のいずれかのスイッチに係る信号の入力までの時間間隔が、毎ゲームほぼ一定の間隔になることとなる。
すなわち、本発明によれば、１回の遊技におけるいずれかのスイッチに係る信号の入力から、前記スイッチに係る信号の後に入力される前記スイッチ以外のいずれかのスイッチに係る信号の入力までの時間間隔が、以前に計測された同一スイッチ間の時間間隔と比較してほぼ同一の場合に、エラー処理を行うので、「打ち込み機」による不正行為を防止することが可能となる。
【００２１】
また、このような構成としても、「打ち込み機」による不正行為が行われていない場合には、通常、１回の遊技におけるいずれかのスイッチに係る信号の入力から、前記スイッチに係る信号の後に入力される前記スイッチ以外のいずれかのスイッチに係る信号の入力までの時間間隔が、以前に計測された同一スイッチ間の時間間隔と比較してほぼ同一になることは起こりにくいので、正規の遊技者の利便性を損なうことはない。
【発明の効果】
【００２２】
本発明は、以上のように構成されているので、以下に記載されるような効果を奏する。
（請求項１）
すなわち、請求項１記載の発明は、抽選に関する構成を変更することなく、「体感器」による不正行為を防止することが可能な遊技機を提供することができる。
（請求項２）
すなわち、請求項２記載の発明は、「打ち込み機」による不正行為を防止することが可能な遊技機を提供することができる。
【発明を実施するための最良の形態】
【００２３】
（１）第１の実施の形態
以下、本発明の第１の実施の形態を図面を参照しつつ説明する。
（図面の説明）
図１から図９までは、本発明の実施の形態を示すものである。
図１は、スロットマシン10を示す外観正面図である。図２は、スロットマシン10の入力、制御及び出力を示すブロック図である。図３は、遊技制御手段100を示すブロック図である。図４は、当選抽選手段130を示すブロック図である。図５は、エラー制御手段210を示すブロック図である。図６は、スロットマシン10の遊技の動作の概略を示すフローチャートである。図７は、スロットマシン10の動作のうち、当選抽選処理の概略を示すフローチャートである。図８は、スロットマシン10の動作のうち、回転リール40の回転停止処理の概略を示すフローチャートである。図９は、スロットマシン10の動作のうち、不正検知処理の概略を示すフローチャートである。
【００２４】
また、図１０は、本発明の第１の実施の形態の変形例を示すものであって、スロットマシン10の動作のうち、不正検知処理の概略を示すフローチャートである。
なお、本実施の形態では、「前面」とは、図１において、遊技者が、スロットマシン10の正面にスロットマシン10の方に顔を向けて座って、あるいは、立っているような場合における遊技者が向き合う面をいう。
（スロットマシン10）
本実施の形態に係る遊技機は、スロットマシン10であって、遊技媒体として、遊技メダルを使用するものである。
【００２５】
スロットマシン10は、正面に向かって開口する正面開口部を有する四角箱状の筐体11と、筐体11の正面開口部を開閉自在に塞ぐ前扉14とを有する。前扉14の中央部から上部には、図１に示すように、遊技者側に向かって臨む略四角窓状の表示窓12が形成されている。そして、表示窓12の略中央には、三個の回転リール40の図柄61、いわゆる停止図柄を見ることができる図柄表示窓13が形成されている。そして、前扉14の下部には、入賞した場合に、賞品としての遊技媒体である遊技メダルが払い出される払い出し口31が形成されている。そして、払い出し口31の下方には、払い出し口31から払い出された遊技メダルを貯留するための上方に向かって開口する皿状の払い出し皿32が形成されている。
【００２６】
回転リール40は、図１に示すように、遊技者側から見て左側に位置する左リール42と、遊技者側から見て右側に位置する右リール44と、左リール42及び右リール44の間に位置する中リール43とからなるものである。そして、スロットマシン10の前面側には、特に図示しないが、横方向に三本、左右の対角線上の斜め方向に二本の合計五本の入賞ラインが形成されている。そして、この入賞ラインは、投入された遊技メダルの枚数に応じて入賞が有効になるとなるものである。具体的には、遊技メダルの投入枚数が１枚の場合、五本の入賞ラインのうち、横中央の一本が有効入賞ラインとなる。そして、遊技メダルの投入枚数が２枚の場合、五本の入賞ラインのうち、横方向の三本が有効入賞ラインとなる。そして、遊技メダルの投入枚数が３枚の場合、対角線も含めた五本の入賞ラインの全部が有効入賞ラインとなる。
【００２７】
スロットマシン10の内部には、特に図示しないが、集中端子板が設けられている。集中端子板は、総メダル投入枚数、総メダル払い出し枚数、総回転数、大当たり抽選回数などの遊技に関するデータを、ホールコンピュータ等との間で送受信するための装置である。
また、スロットマシン10の内部には、特に図示しないが、遊技の制御を行うための制御装置20（図２参照）が内蔵されている。
（制御装置20）
制御装置20は、上述の如く、遊技の制御を行うためのものである。具体的には、制御装置20は、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）及び（２）の装置を有するものである。
（１）主制御装置21
（２）副制御装置22
図２に示すように、制御装置20には、スタートスイッチ30及びストップスイッチ50の操作により回転リール40の回転及び停止を制御するための主制御装置21と、スピーカ67や報知ランプ68等の報知装置66を制御するための副制御装置22とが内蔵されている。また、主制御装置21及び副制御装置22には、それぞれ一個ずつＣＰＵが配置されているが、特にこれに限定されるものではなく、主制御装置21及び副制御装置22を一個のＣＰＵで制御しても良く、あるいは、二個以上のＣＰＵで制御するようにしても良い。また、ＣＰＵ、ＲＯＭ、ＲＡＭ及びＩ／Ｏ等は一体化されてワンチップを構成しても良いものである。
（主制御装置21）
主制御装置21は、スタートスイッチ30及びストップスイッチ50の遊技者による操作により、回転リール40の回転及び停止を制御するものである。そして、主制御装置21は、次の（１）から（６）の手段として機能する。
【００２８】
（１）遊技制御手段100（通常遊技制御手段110、特別遊技制御手段120）
（２）当選抽選手段130
（３）エラー制御手段210
（４）停止制御手段160
（５）入賞判定手段170
（６）ホッパー制御手段180
なお、主制御装置21としては、上記した（１）から（６）までの手段に限定されるものではなく、他の手段を含んでいても良い。
（副制御装置22）
副制御装置22は、主として報知データに関するものであって、スピーカ67や報知ランプ68等の報知装置66を制御するためのものである。そして、主制御装置21の内部データの信頼性を担保すべく、主制御装置21と副制御装置22との間での信号のやりとりは、一方通行となるように設定されている。すなわち、主制御装置21から副制御装置22に向かってのみ信号が出力され、副制御装置22から主制御装置21に向かっていかなる信号も出力されないように設定されている。これにより、当選確率等の抽選に関するデータを有する主制御装置21のデータ保護を容易なものにすることができる。
【００２９】
そして、副制御装置22は、次の（１）から（２）の手段として機能する。
（１）報知データ記憶手段190
（２）報知制御手段200
なお、副制御装置22としては、上記した（１）から（２）までの手段に限定されるものではなく、他の手段を含んでいても良い。
そして、制御装置20の入力側には、主として制御装置20に信号を送る入力手段が配置され、制御装置20の出力側には、主として制御装置20からの信号が送り込まれる出力手段が配置されている。
（入力手段）
制御装置20の入力側には、図２に示すように、次のパーツが接続されている。
【００３０】
（１）投入スイッチ15
（２）ベットスイッチ16
（３）精算スイッチ17
（４）スタートスイッチ30
（５）ストップスイッチ50
なお、入力手段としては、上記した（１）から（５）までのパーツに限定されるものではない。
（出力手段）
制御装置20の出力側には、図２に示すように、次のパーツが接続されている。
【００３１】
（１）リールユニット60（モータードライバ62及び駆動モータ63）
（２）ホッパーユニット65
（３）報知装置66（スピーカ67、報知ランプ68及び表示装置69）
なお、出力手段としては、上記した（１）から（３）までのパーツに限定されるものではない。
（投入スイッチ15）
投入スイッチ15は、遊技媒体投入口19から投入される遊技媒体を検知するとともに、遊技媒体投入口19から投入される遊技媒体のうち所定数までの遊技媒体をベットし、所定数を超えて投入される遊技媒体をクレジットするためのものであって、遊技媒体を検知すると検知信号を出力するものである。具体的には、投入スイッチ15は、図１に示すように、図柄表示窓13の斜め下方の位置に設けられるとともに、遊技媒体投入口19としてのメダル投入口18から投入される遊技メダルを検知するためのものである。
【００３２】
なお、遊技媒体投入口19としてのメダル投入口18は、遊技メダルを投入するためのものであり、図１に示すように、投入スイッチ15の直ぐ上方の位置に設けられている。
（ベットスイッチ16）
ベットスイッチ16は、投入されてクレジットされている遊技媒体の数を減じて操作に応じた数の遊技媒体をベットするためのものであって、遊技者の操作に基づき操作信号を出力するものである。具体的には、ベットスイッチ16は、図１に示すように、図柄表示窓13の下方に位置するスイッチであって、遊技者により予め投入されることによりスロットマシン10の内部に貯留した貯留メダル数を減じて操作に応じた数の遊技メダルをベットするためのものである。すなわち、投入された遊技メダルが一定枚数以上クレジットとして貯留されている場合に、このベットスイッチ16を操作すると、クレジットを減算して操作に応じた数の遊技メダルをベットしたものと扱われる。
【００３３】
また、ベットスイッチ16は、所定枚数の遊技メダルをベットしているか、していないか、或いは、遊技中であるか、遊技中でないかを問わず、操作されると、操作信号を出力するものとなっている。
（精算スイッチ17）
精算スイッチ17は、予め投入してクレジットされている遊技メダルを遊技者に払い出すためのものである。精算スイッチ17は、図１に示すように、図柄表示窓13の斜め下方に位置するスイッチである。具体的には、精算スイッチ17が操作されると、遊技の最後に、最大で５０枚のクレジットされている遊技メダルの全部が、ホッパーユニット65により払い出し口31から払い出し皿32へ払い出される。
【００３４】
また、精算スイッチ17は、所定枚数の遊技メダルをベットしているか、していないか、或いは、遊技中であるか、遊技中でないかを問わず、操作されると、操作信号を出力するものとなっている。
（スタートスイッチ30）
スタートスイッチ30は、全ての回転リール40の回転を開始させるためのものであって、遊技者の操作に基づき操作信号を出力するものである。また、スタートスイッチ30は、図１に示すように、図柄表示窓13の斜め下方に位置するスイッチであって、遊技メダルの投入若しくはベットスイッチ16の押下を条件に、または、「再遊技（リプレイ、Replay）」時には前遊技から所定時間経過を条件に、全ての回転リール40の回転を開始させるためのものである。
【００３５】
また、スタートスイッチ30は、所定枚数の遊技メダルをベットしているか、していないか、或いは、遊技中であるか、遊技中でないかを問わず、操作されると、操作信号を出力するものとなっている。
なお、ここで、「再遊技（リプレイ、Replay）」とは、当選抽選手段130の抽選により、「再遊技（リプレイ、Replay）」の当選フラグが成立し、「再遊技（リプレイ、Replay）」の図柄61が有効入賞ライン上に揃うことにより、次の遊技において、遊技メダルを新たに投入することなく、再度、遊技を行うことができるものである。
（ストップスイッチ50）
ストップスイッチ50は、各回転リール40に対応して設けられ、かつ各回転リール40の回転を停止させるためのものであって、遊技者の操作に基づき操作信号を出力するものである。具体的には、ストップスイッチ50は、図１に示すように、各回転リール40に対応して設けられた左ストップスイッチ51と、中ストップスイッチ52と、右ストップスイッチ53とからなる三個のスイッチから構成され、各回転リール40の下方に１個ずつ配置されているものである。そして、各回転リール40に対応した各ストップスイッチ50を遊技者が指で押す又は触れる等の押下操作を行うことにより、当該ストップスイッチ50に対応する回転リール40の回転が停止するように設定されているものである。
【００３６】
また、ストップスイッチ50は、所定枚数の遊技メダルをベットしているか、していないか、或いは、遊技中であるか、遊技中でないかを問わず、操作されると、操作信号を出力するものとなっている。
また、ストップスイッチ50は、スタートスイッチ30が操作されることにより全ての回転リール40の回転が開始してから、全ての回転リール40の回転速度が予め定められた一定速度に達することにより操作が有効となるように形成されている。すなわち、全ての回転リール40の回転が開始してから、全ての回転リール40の回転速度が予め定められた一定速度に達するまでの間に、ストップスイッチ50が操作された場合には、ストップスイッチ50は、操作信号を出力するが、対応する回転リール40の回転は停止しないよう設定されている。
（リールユニット60）
リールユニット60は、図示しないが、基体としての枠体に固定あるいは支持されている三個の駆動モータ63と、各駆動モータ63の出力軸に固定された三個の回転リール40と、を備えている。そして、各回転リール40は、合成樹脂からなる回転ドラムと、この回転ドラムの周囲に貼付されるテープ状のリールテープ41とを備えている。リールテープ41の外周面には、複数個（例えば２１個）の図柄61が表示されている。具体的には、リールテープ41の外周面には、「赤７」、「青７」、「ＢＡＲ」、「ベル」、「スイカ」、「チェリー」、及び「ＲＥＰＬＡＹ」などの図柄61が表示されている。
【００３７】
また、各回転リール40の回転ドラムには、突起状のスタートインデックスが設けられるとともに、リールユニット60の枠体には、スタートインデックスを検出するためのインデックスセンサが設けられている。そして、駆動モータ63により回転リール40の回転が開始した後、インデックスセンサがスタートインデックスを検知してからの回転角度を認識することで、現在位置を特定し、その後、所定角度で停止させることによって、停止制御が行われるものとなっている。
また、インデックスセンサは、全体形状が略コ字状に形成され、その一端に発光素子（ＬＥＤ）が配置され、他端に受光素子（フォトトランジスタ）が配置されている。そして、そのコ字状の内部をスタートインデックスが移動することにより、発光素子からの光が遮断されて、インデックスセンサは、スタートインデックスの位置を検知可能となっている。
【００３８】
以下、具体的に説明すると、各回転リール40の外周表面の２１個の図柄61には、各図柄61の表示位置により異なる図柄番号が付与されている。そして、各回転リール40の回転駆動軸には、回転リール40を回転駆動させるための回転駆動源である駆動モータ63としてのステッピングモータが固定されている。ステッピングモータは、リールユニット60の基体である枠体に固定されて所定の回転角度だけ回転リール40を回転させるための回転駆動力を発生するものである。また、リールユニット60には、ステッピングモータを回転駆動させるためのモータードライバ62が形成されている。そして、モータードライバ62は、主制御装置21からの制御信号としてのパルス信号が入力されることにより、ステッピングモータを所定の回転角度だけ回転駆動させるように形成されている。
（ホッパーユニット65）
ホッパーユニット65は、図１に示すように、筐体11の内部に設けられ、投入された遊技メダルを貯留することができるとともに、入賞した場合に、遊技者に所定枚数の遊技メダルを払い出すためのものである。なお、遊技メダルは、スロットマシン10の前面側の下部に形成された払い出し口31から払い出し皿32へ払い出される。
（報知装置66）
報知装置66は、後述する入力間隔判断手段150により入力間隔が所定時間以内であると判断された場合に、エラー報知を行うためのものである。具体的には、報知装置66は、図１に示すように、筐体11に埋め込まれた左右のスピーカ67と、表示窓12の上部中央に配置された液晶表示装置からなる表示装置69と、表示窓12の周囲縁に配置された５個の報知ランプ68とを備えているものである。そして、エラー報知は、入力間隔判断手段150により入力間隔が所定時間以内であると判断された場合に、例えば、表示装置69に「エラー」や、「ＥＲＲＯＲ」等と表示したり、報知ランプ68を点滅したり、スピーカ67から警告音を発生したりすることにより行われるものである。
【００３９】
また、本実施の形態では、報知装置66は、当選や入賞等を、音や光や映像で遊技者に報知するようにも形成されている。具体的には、報知装置66は、当選時や入賞時にスピーカ67から当選音や入賞音を発生させ、報知ランプ68を点灯又は点滅させることにより、また、表示装置69に図柄模様や文字列を点灯表示させることにより、遊技者に当選や入賞等を報知するものとなっている。
（遊技制御手段100）
遊技制御手段100は、遊技を制御するものである。具体的には、遊技制御手段100は、通常遊技の制御を行う通常遊技制御手段110と、特別遊技の制御を行う特別遊技制御手段120とを備えている。
【００４０】
ここで、遊技制御手段100が行わせる遊技は、遊技メダルの投入を条件として遊技が開始可能となり、当選抽選手段130による抽選の結果、所定の当選役に当選し、当選役に対応する入賞図柄が有効入賞ライン上に揃うことにより入賞となり、あるいは、当選役に対応する図柄61が有効入賞ライン上に揃わないことにより外れとなって１回の遊技が終了するように設定されている。
（通常遊技制御手段110）
通常遊技制御手段110は、通常遊技を制御するものである。具体的には、遊技メダルの投入若しくはベットスイッチ16の押下操作が行われ（再遊技（リプレイ、Replay）を除く）、かつ前遊技から所定時間が経過することを条件として、スタートスイッチ30が押下操作可能な状態（遊技開始可能な状態）となり、スタートスイッチ30を操作すると、リールユニット60が駆動され、三個の回転リール40が回転を開始する。あるいは、「再遊技（リプレイ、Replay）」時には遊技メダルの投入やベットスイッチ16の押下操作が行われることなく、かつ前遊技から所定時間が経過することを条件として、スタートスイッチ30が押下操作可能な状態（遊技開始可能な状態）となり、スタートスイッチ30を操作すると、リールユニット60が駆動され、三個の回転リール40が回転を開始する。
【００４１】
その後、ストップスイッチ50の一個を押下操作すると、当該対応する回転リール40の回転が停止する。そして、三個のストップスイッチ50を全て押下操作し終わると、三個の回転リール40の回転が全て停止する。このとき、表示窓12の有効入賞ライン上の図柄配列が、予め設定された入賞図柄配列と一致したことを条件に、ホッパーユニット65を介して所定枚数の遊技メダルが払い出される。なお、遊技メダルを払い出す代わりに、クレジットしても良い。
ここで、当選役とは、図柄61の組み合わせにより構成されるものであって、予め定めらたものである。
【００４２】
また、本実施の形態に係るスロットマシン10では、当選役として、入賞により所定枚数の遊技メダルが払い出される小役（スイカ役、ベル役、及びチェリー役）と、遊技メダルの払い出しはないが遊技メダルを新たに投入することなく再度の遊技を行える再遊技役と、子役及び再遊技役よりもさらに大きな利益を遊技者に付与する特別遊技に係る特別遊技役と、を備えている。
また、小役のうち、例えば、スイカ役は、「スイカ」の図柄61の組み合わせ（「スイカ」「スイカ」「スイカ」）により構成される。そして、いずれかの有効入賞ライン上に「スイカ」「スイカ」「スイカ」の図柄配列が停止すると、スイカ役の入賞となり、所定枚数（例えば１５枚）の遊技メダルが払い出される。また、小役のうち、チェリー役は、「チェリー」の図柄61と他の図柄61との組み合わせ（「チェリー」「ＡＮＹ」「ＡＮＹ」（ＡＮＹはいずれの図柄61でも構わないという意味））により構成される。そして、いずれかの有効入賞ライン上に「チェリー」「ＡＮＹ」「ＡＮＹ」の図柄配列が停止すると、チェリー役の入賞となり、所定枚数（例えば２枚）の遊技メダルが払い出される。また、再遊技役は、「ＲＥＰＬＡＹ」の図柄61の組み合わせ（「ＲＥＰＬＡＹ」「ＲＥＰＬＡＹ」「ＲＥＰＬＡＹ」）により構成される。そして、いずれかの有効入賞ライン上に「ＲＥＰＬＡＹ」「ＲＥＰＬＡＹ」「ＲＥＰＬＡＹ」の図柄配列が停止すると、再遊技役の入賞となり、新たに遊技メダルを投入することなく、前回の遊技と同じ条件で再度遊技を行うことができる。また、特別遊技役は、「７」の図柄61の組み合わせ（「赤７」「赤７」「赤７」、又は「青７」「青７」「青７」）により構成される。そして、いずれかの有効入賞ライン上に「赤７」「赤７」「赤７」、又は「青７」「青７」「青７」の図柄配列が停止すると、特別遊技役に入賞となり、特別遊技に移行する。
【００４３】
そして、後述する当選抽選手段130により所定の当選役に当選した場合には、その当選役に対応した当選フラグが成立する。
当選フラグとは、当選抽選手段130の抽選結果が所定の当選役に当選の場合に、当選であることを記憶しておくためのメモリーであり、小役に当選した場合には、小役当選の当選フラグを成立させ、特別遊技役に当選した場合には特別当選の当選フラグを成立させるものである。そして、この特別当選の当選フラグ成立中に、各回転リール40の回転が停止したときの有効入賞ライン上の図柄61の組み合わせが、予め定められた所定の入賞図柄配列（例えば、有効入賞ライン上に「赤７」が三個揃う図柄配列）と一致したことを条件に入賞し、通常遊技よりも遊技者に大きな有利を付与可能な特別遊技を行わせるように形成されている。そして、抽選により特別当選の当選フラグが成立したが、各回転リール40の回転が停止したときの有効入賞ライン上の図柄61の組み合わせが入賞図柄配列と一致していない場合、すなわち、特別当選の当選フラグが成立している遊技で入賞できなかった場合、それ以後の遊技に当該当選フラグ成立の権利が持ち越されるように設定されている。そして、特別当選の当選フラグを持ち越した遊技でも、入賞できなかった場合、更に、それ以後の遊技に当該当選フラグの権利は、入賞できるまで持ち越されるように形成されている。なお、小役当選、及び再遊技当選の当選フラグは、当選フラグが成立した遊技で入賞させられない場合、それ以後の遊技に当選フラグ成立の権利を持ち越すことができないように設定されている。
（特別遊技制御手段120）
特別遊技制御手段120は、当選抽選手段130の抽選結果に基づいて、同一遊技回数を基準とした遊技期間で比較した場合に通常遊技よりも遊技者に大きな利益を付与可能な特別遊技を制御するためのものである。特別遊技としては、大別すると、次のゲームがある。
【００４４】
（１）特定導入遊技（ＢＢゲーム）
（２）特定遊技（ＲＢゲーム）
（３）特定当選遊技（ＪＡＣゲーム）
本実施の形態において、上述した特別遊技のうち、特定導入遊技（ビッグボーナスゲーム、ＢＢゲーム）、及び、特定遊技（レギュラーボーナスゲーム、ＲＢゲーム）は、通常遊技中に単独で実施可能に設定されている。具体的には、特定遊技（ＲＢゲーム）は、通常遊技から移行して単独で実施される独立ＲＢゲームと、この独立ＲＢゲームと遊技内容は同一であるが特定導入遊技（ＢＢゲーム）中に移行可能な従属ＲＢゲームとを実施可能に形成されている。そして、本実施の形態においては、上述した特別遊技のうち、特定導入遊技（ＢＢゲーム）と、通常遊技から移行して単独で実施される独立ＲＢゲームとを、総称してボーナスゲームと呼んでいる。
【００４５】
特定当選遊技（ＪＡＣゲーム）は、本実施の形態において通常遊技から移行することはできず（単独では実施されず）、ＲＢゲーム（独立ＲＢゲーム及び従属ＲＢゲーム）内で実施されるものである。すなわち、前記特定当選遊技、いわゆるＪＡＣゲームは、ＲＢゲーム中に行われるものである。
また、特定遊技（ＲＢゲーム）のうち、従属ＲＢゲームは、特定導入遊技、いわゆるＢＢゲーム中に、所定の条件の範囲内（具体的には、所定の獲得遊技メダル枚数の範囲内）で入賞した場合には何回でも行われるように設定されている。そして、独立ＲＢゲームは、ＢＢゲーム中で無い場合、通常遊技から移行して単独で実施される。
【００４６】
特別遊技制御手段120は、図３に示すように、大別すると、次の手段を備える。
（１）特定導入遊技制御手段121
（２）特定遊技制御手段123
（特定導入遊技制御手段121）
特定導入遊技制御手段121は、ＢＢゲームを制御するためのものである。具体的には、ＢＢゲームに移行すると、通常遊技と同様のＢＢゲーム中小役遊技が、最大３枚の遊技メダルの投入によって開始され、三個の回転リール40の回転を各々停止させた際に、有効入賞ライン上に入賞図柄配列が揃っているか否かによって、遊技メダルの払い出しが行われるものである。
【００４７】
ここで、ＢＢゲームにおいて行われるＢＢゲーム中小役遊技とは、通常遊技と同様に小役を含めた抽選が毎回行われるものである。ただ、このＢＢゲーム中にＲＢゲーム（従属ＲＢゲーム）に移行するための移行当選役の入賞図柄配列が有効入賞ライン上に揃った場合には、その後ＲＢゲームに移行するものである。
なお、ＢＢゲーム中はＲＢゲーム（従属ＲＢゲーム）への移行が、所定獲得枚数までは何回でも行われることになっているために、１回目のＲＢゲームが終了した後は、また前述したような通常遊技と同様のＢＢゲーム中小役遊技の抽選及び制御が行われるものである。
【００４８】
そして、ＢＢゲームでは、ＢＢゲーム中の獲得遊技メダル枚数、すなわちＢＢゲーム中小役遊技及び従属ＲＢゲームの両方で獲得できた遊技メダルの枚数が、予め定めた特定枚数を超えるまでは、ＢＢゲーム中のＲＢゲームを何回でも行うことができるように設定されている。そして、ＢＢゲーム中の獲得遊技メダル枚数が特定枚数を超えたときに、当該ＢＢゲームは終了するものである。もちろん、終了条件はこれに限定されるものではなく、例えば、ＢＢゲーム中のＲＢゲームが所定の最大回数、例えば３回か、あるいはＢＢゲーム中のＢＢゲーム中小役遊技が所定の最大回数、例えば最大３０回の終了により、ＢＢゲームは終了するように設定しても良い。また、かかる場合のＢＢゲーム中のＲＢゲームや、ＢＢゲーム中小役遊技の最大回数は、上述したものに限定されるものではなく、スロットマシン10の種類の違いにより、他の回数（例えば、ＲＢゲームの最大回数が２回）に設定されているものでも良い。
（特定遊技制御手段123）
特定遊技制御手段123は、ＲＢゲーム（単独ＲＢゲーム及び従属ＲＢゲーム）を制御するためのものである。具体的には、ＲＢゲームに移行すると、遊技メダルが１枚投入となり、回転リール40の所定の図柄61が図柄表示窓13の有効入賞ラインのうちの横方向中央に設定された有効入賞ライン上に揃った場合に入賞となる特定当選遊技（いわゆるＪＡＣゲーム）が行われるものである。そして、ＲＢゲームでは、当選するか否かの特定当選遊技（いわゆるＪＡＣゲーム）が最大１２回行えるものであり、そのうち、最大８回の入賞が可能である。すなわち、最大８回の入賞となるか、あるいは最大１２回の特定当選遊技（いわゆるＪＡＣゲーム）の終了により、ＲＢゲームは終了するものである。もちろん、終了条件は、これに限定されるものではなく、予め定めた特定の獲得遊技メダル枚数に到達することにより終了するように設定しても良い。なお、ＢＢゲーム中の従属ＲＢゲーム中に、ＢＢゲームの予め定めた獲得遊技メダル枚数に到達した場合は、上述した遊技回数の途中であっても、終了することになる。また、独立ＲＢゲームでも、予め定めた所定の獲得遊技メダル枚数に到達すると、上述した遊技回数の途中であっても終了するように形成しても良い。
【００４９】
ここで、本実施の形態では、特別遊技役のうち、ＲＢゲームへの移行当選役である、単独ＲＢゲームの移行当選役及び従属ＲＢゲームの移行当選役のいずれも、当選フラグが成立して、当該遊技で入賞図柄配列を揃えることができずに入賞できなかった場合、次以降の遊技へ当選の権利である当選フラグを持ち越すことができる（いわゆるフラグ持ち越し可能）ように形成されている。しかし、特にこれに限定されるものではなく、特別遊技役のうち、ＢＢゲームへの移行当選役の当選フラグのみ、フラグ持ち越し可能に設定して、ＲＢゲームへの移行当選役の当選フラグは、フラグ持ち越し可能でないように設定しても良い。また、特別遊技役のうち、単独ＲＢゲームへの移行当選役、及び、ＢＢゲームの移行当選役の当選フラグのみ、フラグ持ち越し可能に設定して、従属ＲＢゲームへの移行当選役は、フラグ持ち越し可能でないように設定しても良い。また、特別遊技役のうち、従属ＲＢゲームへの移行当選役、及び、ＢＢゲームへの移行当選役の当選フラグのみ、フラグ持ち越し可能に設定して、独立ＲＢゲームへの移行当選役は、フラグ持ち越し可能でないように設定しても良い。
【００５０】
なお、ここで、ＢＢゲームへの移行当選役とは、特別遊技役であって、ＢＢゲームへ移行するためのものである。すなわち、ＢＢゲームへの移行当選役は、当選し、入賞すると、ＢＢゲームへ移行するものである。また、従属ＲＢゲームへの移行当選役や、独立ＲＢゲームへの移行当選役も同様の意味であり、当選し、入賞すると、それらのゲームへ移行するものである。
（当選抽選手段130）
当選抽選手段130は、スタートスイッチ30の操作を契機に複数の当選役のいずれかに当選か又はハズレかの抽選を行うとともに、抽選の結果、所定の当選役に当選した場合には、当該当選役に対応する当選フラグを成立させるためのものである。具体的には、当選抽選手段130は、抽選の結果、所定の当選役に当選した場合（内部入賞ともいう。）には、当選フラグを成立させる。そして、この当選フラグ成立中に、各回転リール40の回転が停止した際の有効入賞ライン上の図柄61の組み合わせが予め定められた入賞図柄配列と一致したことを条件に入賞し、遊技者に遊技メダルの払い出しや、特別遊技等の利益が付与されるように設定されている。
【００５１】
当選抽選手段130は、図４に示すように、大別すると、次の手段を備える。
（１）当選乱数発生手段131
（２）当選乱数抽出手段132
（３）当選判定テーブル記憶手段133
（４）当選判定手段134
なお、当選抽選手段130としては、上記した（１）から（４）までの手段に限定されるものではない。
（当選乱数発生手段131）
当選乱数発生手段131は、抽選用の乱数を所定の領域内（十進数で０〜６５５３５）で発生させるものである。当選乱数発生手段131は、一定範囲の数字を高速で１ずつ加算するカウンタを用いて構成するものであって、０から６５５３５までの範囲の数字を、１秒間に数百万回程度順次繰り返すようにしたカウンタである。そして、当選乱数抽出手段132は、スタートスイッチ30が操作されたタイミングで当選乱数発生手段131の前記カウンタの数字を読みとるものである。これは、当選乱数発生手段131では乱数を発生しているわけではないものの、当選乱数抽出手段132によって抽出される数字は、あたかも乱数のような分布となるものである。
【００５２】
なお、ここで、当選乱数発生手段131には、ソフト乱数としての平均採中法（ｎ桁の数字を２乗して中央のｎ桁の数を取り出すことの繰り返しによる乱数発生方法）等で乱数を発生させることができるものでも良い。このように結果として乱数のような分布を示す数字が得られる手段を、ここでは、当選乱数発生手段131あるいは当選乱数抽出手段132に含めて考えるものである。
（当選乱数抽出手段132）
当選乱数抽出手段132は、当選乱数発生手段131が発生する乱数を、所定の条件（具体的には、スタートスイッチ30の操作）で抽出するものである。なお、この抽出した乱数を抽出乱数データとする。
（当選判定テーブル記憶手段133）
当選判定テーブル記憶手段133は、当選乱数発生手段131がとる乱数の全領域（十進数で０〜６５５３５）中、各当選役に対応する当選項目の当選領域を有するものである。この当選判定テーブル記憶手段133は、異なる抽選確率を記憶した複数のものが形成されている。具体的には、当選判定テーブル記憶手段133は、第１設定当選判定テーブルと、第２設定当選判定テーブルと、第３設定当選判定テーブルと、第４設定当選判定テーブルと、第５設定当選判定テーブルと、第６設定当選判定テーブルとを備えているものである。この第１〜６設定当選判定テーブルは、それぞれ異なる抽選確率が記録されてあり、いわゆるスロットマシン10の１から６までの「設定」を決めるものであって、第１設定当選判定テーブルから第６設定当選判定テーブルまで、順に、特別当選に対応する当選項目の当選確率が高くなるように設定されている。
（当選判定手段134）
当選判定手段134は、当選乱数抽出手段132が抽出した抽出乱数データと、当選判定テーブル記憶手段133の当選率データを基に当選乱数発生手段131がとる乱数の全領域中の各当選項目の当選領域からなる当選判定領域データとを照合し、当該抽出乱数データが属する当選領域に対応する当選役を決定するものである。そして、当選判定手段134は、決定した当選役に対応する当選フラグを成立させるものである。
（エラー制御手段210）
エラー処理手段210は、スタートスイッチ30に係る操作信号とスタートスイッチ30以外のいずれかのスイッチに係る信号との入力間隔であって、連続して入力される２個の信号の入力間隔が、予め定められた所定時間以内である場合に、エラー処理を行うためのものである。
【００５３】
エラー制御手段210は、図５に示すように、大別すると、次の手段を備える。
（１）入力信号監視手段141
（２）入力信号フラグ成立手段142
（３）入力間隔計測手段140
（４）スタートスイッチフラグ判断手段144
（５）入力間隔判断手段150
（６）エラー処理実行手段240
（７）フラグ消去手段250
なお、エラー制御手段210としては、上記した（１）から（７）までの手段に限定されるものではない。
（入力信号監視手段141）
入力信号監視手段141は、スタートスイッチ30、ストップスイッチ50、ベットスイッチ16、及び投入スイッチ15に係る信号の入力を、常時監視するためのものである。すなわち、入力信号監視手段141は、所定枚数の遊技メダルをベットしているか、していないか、或いは、遊技中であるか、遊技中でないかを問わず、信号の入力を常時監視するものとなっている。
（入力信号フラグ成立手段142）
入力信号フラグ成立手段142は、入力信号監視手段141の監視結果に基づいて、入力された信号に応じたフラグを立てるためのものである。すなわち、入力信号フラグ成立手段142は、いずれのスイッチが操作等されたのかを記憶するものとなっている。
【００５４】
本実施の形態では、スタートスイッチ30、ストップスイッチ50、ベットスイッチ16、及び投入スイッチ15に対応する記憶領域が予め設定されている。また、各々の記憶領域は、初期値として０が設定されている。そして、入力信号フラグ成立手段142は、入力信号監視手段141の監視結果に基づいて、入力された信号に係るスイッチに対応する記憶領域の値を、０から１に書き換えるものである。
すなわち、「フラグを立てる」とは、所定の記憶領域の値を０から１に書き換えること意味するものである。
また、本実施の形態において、入力信号フラグ成立手段142は、最大で２個のフラグを立てることができるように設定されている。例えば、遊技者により、最初にベットスイッチ16が操作され、次にスタートスイッチ30が操作された場合には、入力信号フラグ成立手段142は、入力信号監視手段141の監視結果に基づいて、ベットスイッチ16に係る操作信号に応じたフラグを立て、次にスタートスイッチ30に係る操作信号に応じたフラグを立てる。
【００５５】
また、例えば、遊技者により、最初にスタートスイッチ30が操作され、次に再度スタートスイッチ30が操作された場合には、入力信号フラグ成立手段142は、入力信号監視手段141の監視結果に基づいて、スタートスイッチ30に係る操作信号に応じたフラグを立て、次にスタートスイッチ30に係る操作信号に応じたフラグを立てる。すなわち、この場合には、同一のフラグが２個成立することとなる。
ここで、「同一のフラグが２個成立する」とは、所定の記憶領域の値を０から１に書き換え、さらに１から２に書き換えることにより行われるものである。
（入力間隔計測手段140）
入力間隔計測手段140は、入力信号監視手段141の監視結果に基づいて、連続して入力される２個の信号の入力間隔を計測するためのものである。
【００５６】
本実施の形態において、入力間隔計測手段140は、入力信号監視手段141の監視結果に基づいて、いずれかのスイッチに係る信号の入力を契機に計時を開始するとともに、計測開始後の最初の信号の入力を契機に計時を終了することで、連続して入力される２個の信号の入力間隔を計測するものとなっている。また、入力間隔計測手段140は、後述するエラー処理実行手段240によりエラー処理が実行される場合を除き、入力間隔の計時終了に係る信号の入力を契機に、再び入力間隔の計測を開始するものとなっている。すなわち、入力間隔計測手段140は、エラー処理実行手段240によりエラー処理が実行される場合を除き、いずれかのスイッチに係る信号が入力されるたびに、計時を開始するものとなっている。
（スタートスイッチフラグ判断手段144）
スタートスイッチフラグ判断手段144は、入力信号フラグ成立手段142により２個のフラグが成立していることを条件に、成立している２個のフラグのうちのいずれかが、スタートスイッチ30に係る操作信号に応じたフラグであるか否かを判断するためのものである。
（入力間隔判断手段150）
入力間隔判断手段150は、入力間隔計測手段140により計測された入力間隔が予め定められた所定時間以内であるか否かを判断するためのものである。本実施の形態では、所定時間は、０．１秒に設定されている。すなわち、入力間隔判断手段150は、入力間隔計測手段140により計測された入力間隔が０．１秒以内であるか否かを判断するものとなっている。
（エラー処理実行手段240）
エラー処理実行手段240は、スタートスイッチフラグ判断手段144によりスタートスイッチ30に係る操作信号に応じたフラグが成立していると判断されたこと、及び入力間隔判断手段150により入力間隔が所定時間以内であると判断されたことを条件に、エラー処理を実行するためのものである。
【００５７】
本実施の形態において、エラー処理実行手段240は、スタートスイッチフラグ判断手段144によりスタートスイッチ30に係る操作信号に応じたフラグが成立していると判断されたこと、及び入力間隔判断手段150により入力間隔が所定時間以内であると判断されたことを条件に、遊技の進行を不能化するとともに、後述する報知制御手段200にエラー報知支持信号を送信するものとなっている。
（フラグ消去手段250）
フラグ消去手段250は、入力信号フラグ成立手段142により成立されたフラグを消去するためのものである。
【００５８】
本実施の形態において、フラグ消去手段250は、エラー処理実行手段240によりエラー処理が実行された後に成立している全てのフラグを消去する。また、フラグ消去手段250は、入力信号フラグ成立手段142により２個のフラグが成立した際に、エラー処理実行手段240によりエラー処理が実行されない場合には、成立している２個のフラグのうち先に成立したフラグを消去するものとなっている。
なお、「フラグを消去する」とは、所定の記憶領域の値を０に書き換えることを意味するものである。
（停止制御手段160）
停止制御手段160は、各回転リール40の停止制御を行うものである。具体的には、停止制御手段160は、遊技者による押下操作により各ストップスイッチ50が操作信号を出力したことを契機に、インデックスセンサにより特定された各回転リール40の現在位置に基づいて、当選抽選手段130の抽選結果に対応した停止制御を各回転リール40に対して行うものである。
（蹴飛ばし設定と、引き込み設定）
本実施の形態に係るスロットマシン10では、停止制御手段160の停止制御として、入賞図柄配列を遊技者がストップスイッチ50を操作して所定位置に揃えようとしても、回転リール40が回転して、入賞図柄配列に係る入賞図柄が所定位置に停止しないように設定した蹴飛ばし設定と、ストップスイッチ50を押下操作した状態から所定の図柄数だけ回転リール40の回転上流側に位置する引き込み可能な図柄61の中に、当選フラグ成立中の入賞図柄が含まれているような場合に、入賞図柄を所定位置にまで引き込んで停止するように設定した引き込み設定とを備えている。
【００５９】
なお、ストップスイッチ50が押下操作された時の基準位置の図柄61において、蹴飛ばし設定も、引き込み設定のいずれも設定されていない場合は、蹴飛ばし設定及び引き込み設定のいずれの設定も達成されたとみなして、蹴飛ばし設定及び引き込み設定のいずれも行わないで、当該基準位置の図柄61で停止することになる。すなわち、かかる場合、ストップスイッチ50の押下操作時にすぐに止まる、いわゆるビタ止めとなるものである。
また、いずれかの当選フラグが成立中に、対応する入賞図柄を有効入賞ライン上に揃えることができるか否かは、回転リール40の回転速度が一定の場合、ストップスイッチ50の押下操作のタイミングによるものである。具体的には、ストップスイッチ50を押下操作した後、１９０ｍｓ以内に回転リール40が停止するように設定されているため、ストップスイッチ50を押下操作した後、そのまま停止させるか、あるいは１９０ｍｓ以内に停止可能な回転リール40の円周上の引き込み可能な図柄61、例えば、停止位置の図柄61の上の図柄61から連続する４個の引き込み可能な図柄61の中、すなわち停止位置の図柄61も含めて全部で５個の図柄中に、対応する入賞図柄が含まれているような場合には、停止するまでの時間を遅らせて、回転リール40は有効入賞ライン上にその入賞図柄を引き込んで停止する。一方、停止位置の図柄61及びかかる４個の引き込み可能な図柄61の中、すなわち全部で５個の図柄中に、対応する入賞図柄が含まれていないような場合には、有効入賞ライン上にその入賞図柄を引き込んで停止することができない。また、いずれの当選フラグも成立していない場合には、入賞図柄の入賞確定は不可能となるように設定されている。すなわち、いずれの当選フラグも成立していない場合には、蹴飛ばし設定により、入賞図柄が、所定の有効入賞ライン上に揃わないような位置に停止する、いわゆる蹴飛ばされる。
【００６０】
本実施の形態に係るスロットマシン10では、停止制御手段160の停止制御として、上述したようなコントロール制御を使用しているが、特にこれに限定されるものではなく、停止制御手段160の停止制御として、テーブル制御を使用しても良い。テーブル制御は、停止テーブルを備えているものである。そして、テーブル制御は、いずれかの当選フラグが成立中に、対応する入賞図柄を有効入賞ライン上に揃えることができるか否かは、選択した停止テーブルにより決定される。そして、停止テーブルには、各ストップスイッチ50が押下操作された時の対応する各回転リール40の現在位置に応じて、すべりコマ数が設けられている。具体的には、停止テーブルは、異なる図柄番号（Ｎｏ０〜Ｎｏ２０）が付された２１個の図柄61が停止テーブル上に予め記載されており、各ストップスイッチ50が押下操作された時の対応する各回転リール40の図柄61に対応して、すべりコマ数が設けられている。例えば、有効入賞ライン上に「７」「７」「７」の入賞図柄配列が揃うことにより、ＢＢゲームに入賞するように設定されているとする。そして、かかるＢＢゲームの当選フラグが成立している場合に、ストップスイッチ50が押下操作された際、基準位置での右リール44の図柄61がＮｏ６であるとき、選択された停止テーブルのＮｏ６の位置から３コマ後に「赤７」が位置してり、そのＮｏ６の位置のすべりコマ数には３が予め設定されているとする。この場合に、その基準位置には、Ｎｏ６の図柄61から３コマだけ回転移動して「赤７」の入賞図柄が停止することとなるものである。このように、停止テーブルには、各停止操作位置でのすべりコマ数が予め設定されている。そして、ＢＢゲームに当選した場合の停止テーブルのように、各当選役が当選しているときの停止テーブルや、ハズレの場合の停止テーブルが予め用意されており、当選抽選手段130の抽選結果によって、所定の停止テーブルが選択されるものである。
【００６１】
なお、ここで、「基準位置」とは、図柄表示窓13内部に停止する図柄61の停止位置の範囲のうち、予め定めた所定の位置を意味する。この基準位置は、図柄表示窓13の内部の位置であれば、いずれの位置に設定しても良いものであり、回転リール40の図柄61の停止位置を定めるための基準となる位置である。具体的には、この基準位置は、図柄表示窓13の上段に停止する図柄位置の中央の位置に設定されているが、もちろん、他の基準位置に設定しても良い。
（入賞判定手段170）
入賞判定手段170は、全ての回転リール40の回転が停止したことを契機に、複数の当選役のいずれかに入賞か又は入賞なしかの判定を行うためのものである。換言すると、入賞判定手段170は、全ての回転リール40の回転が停止した際に、いずれかの当選役に係る図柄61の組み合わせが図柄表示窓13に表示されるように各回転リール40が停止されたか否かの判定を行うためのものである。すなわち、入賞判定手段170は、全ての回転リール40が停止した際に、いずれかの当選役に係る図柄61の組み合わせについて、有効入賞ライン上に揃うように各回転リール40が停止しているか否かの判定を行うものである。
【００６２】
そして、入賞判定手段170により、当選役に係る図柄61の組み合わせが有効入賞ライン上に揃うように各回転リール40が停止していると判定された場合には、当該当選役の入賞となり、遊技者に所定の利益を付与する。
（ホッパー制御手段180）
ホッパー制御手段180は、入賞判定手段170による入賞の判定または精算スイッチ17の操作に基づいて、ホッパーユニット65を作動させるものである。例えば、入賞判定手段170からのメダル払い出し要請信号を受信した場合に、ホッパー制御手段180は、当該入賞に対応する枚数の遊技メダルを払い出すようにホッパーユニット65を作動させる。また、例えば、精算スイッチ17に係る操作信号を受信した場合に、ホッパー制御手段180は、クレジットとして貯留扱いにされている遊技メダルを払い出すようにホッパーユニット65を作動させる。
（報知データ記憶手段190）
報知データ記憶手段190は、入力間隔判断手段150により入力間隔が所定時間以内であると判断された場合に行われるエラー報知に係る報知データを記憶するためのものである。具体的には、報知データ記憶手段190は、入力間隔判断手段150により入力間隔が所定時間以内であると判断された場合に、スピーカ67から発生させるサウンドや、報知ランプ68の点灯、点滅の時間や順序等のデータや、表示装置69に表示される図柄模様及び文字列のデータが記憶されている。
【００６３】
また、本実施の形態では、報知データ記憶手段190は、エラー報知に係る報知データの他に演出データも記憶されている。具体的には、例えば、報知データ記憶手段190は、所定の当選役の当選時や、該当選役の入賞時に、報知装置66のスピーカ67から発生させるサウンドや、報知ランプ68の点灯、点滅の時間や順序等のデータや、表示装置69に表示される図柄模様及び文字列のデータが記憶されている。
（報知制御手段200）
報知制御手段200は、主制御装置21からの制御信号に基づいて、報知データ記憶手段190の各報知データを報知装置66に出力し、かかる報知装置66を制御するものである。本実施の形態では、報知制御手段200は、入力間隔判断手段150により入力間隔が所定時間以内であると判断された場合に、報知データ記憶手段190の報知データに基づいて、報知装置66にエラー報知を行わせるものである。具体的には、エラー制御手段210からのエラー報知指示信号を受信した場合に、報知ランプ68を点灯、点滅させたり、スピーカ67から所定の警告音を発生させたり、表示装置69に「エラー」や、「ＥＲＲＯＲ」等と表示させたりするものである。
【００６４】
また、本実施の形態では、報知制御手段200は、ＢＢゲーム、ＲＢゲーム（独立ＲＢゲーム及び従属ＲＢゲーム）、及び他の小役等の当選フラグが成立したとき、又は所定の当選フラグ成立中に所定の有効入賞ライン上に当該入賞図柄配列が揃うことにより入賞したときに、報知データ記憶手段190の演出データに基づいて、報知ランプ68を点灯、点滅させたり、スピーカ67から所定の電子音を発生させたり、表示装置69に所定の図柄模様及び文字列を表示させたりするようにも形成されている。
（スロットマシン10の動作）
次に、上記構成を備えたスロットマシン10の遊技の動作の概略について、図６から図９に示したフローチャートを用いて説明する。
【００６５】
先ず、図６に示すステップ１００において、スタートスイッチ30が操作されることにより、スタートスイッチ30がＯＮとなる。そして、次のステップ１０１に進む。
ステップ１０１において、当選抽選手段130により当選抽選処理が行われる。当選抽選処理については、後で詳しく説明する。そして、次のステップ１０２に進む。
ステップ１０２において、回転リール40の回転が開始する。そして、次のステップ１０３に進む。
ステップ１０３において、ストップスイッチ50が押下操作されることにより、ストップスイッチ50がＯＮとなる。そして、次のステップ１０４に進む。
【００６６】
ステップ１０４において、回転リール40の回転停止処理が行われる。回転停止処理については、後で詳しく説明する。そして、次のステップ１０５に進む。
ステップ１０５において、３個の回転リール40に対応するストップスイッチ50の押下操作が行われたか否かが判定される。ここで、３個の回転リール40に対応するストップスイッチ50の押下操作が行われたと判定された場合、ステップ１０６に進む。一方、３個の回転リール40に対応するストップスイッチ50の押下操作が行われていないと判定された場合には、ステップ１０３に戻る。
ステップ１０６において、入賞判定手段170により複数の当選役のいずれかに入賞か又は入賞なしかの判定が行われる。ここで、いずれかの当選役に入賞したと判定された場合、ステップ１０７に進む。一方、いずれの当選役に入賞していないと判定された場合、当該遊技が終了する。
【００６７】
ステップ１０７において、ホッパー制御手段180により、入賞判定手段170からのメダル払い出し要請信号に基づいて、入賞に対応する予め定められた枚数の遊技メダルが払い出される。そして、当該遊技が終了する。
上述したステップ１０１の当選抽選処理について、図７のフローチャートを用いて説明する。
ステップ２００において、当選抽選手段130の当選乱数発生手段131により発生された乱数の中から当選乱数抽出手段132により乱数が抽出される。そして、次のステップ２０１に進む。
【００６８】
ステップ２０１において、抽出された乱数が当選乱数抽出手段132の内部に記憶される。そして、次のステップ２０２に進む。
ステップ２０２において、当選判定手段134により、抽出された乱数と、当選判定テーブル記憶手段133の当選判定領域データとの比較が行われる。そして、次のステップ２０３に進む。
ステップ２０３において、当選判定手段134により、抽出された乱数が、当選判定テーブル記憶手段133のどの当選領域に含まれるか決定され、抽選処理の評価が決定される。そして、次のステップ２０４に進む。
【００６９】
ステップ２０４において、所定の図柄61の蹴飛ばしと、所定の図柄61の引き込みとが設定される。そして、当選抽選処理が終了する。
上述したステップ１０４の回転リール40の回転停止処理について、図８のフローチャートを用いて説明する。
ステップ３００において、所定の図柄61に対して、蹴飛ばしの設定が達成されたか否かが判定される。この蹴飛ばしの設定は、全ての有効入賞ライン上で、当選抽選手段130の抽選結果に基づいて不当入賞が発生しないように全ての停止操作タイミングにおいて、設定されているものである。なお、蹴飛ばし設定が設定されていたがその蹴飛ばし設定を全て達成した場合と、蹴飛ばし設定は１つも設定されていなかった場合とは、いずれも蹴飛ばし設定は達成されたものとみなされる。ここで、所定の図柄61の蹴飛ばしの設定が達成されていないと判定された場合、ステップ３０１に進む。一方、所定の図柄61の蹴飛ばしの設定が達成されていると判定された場合、ステップ３０４に進む。
【００７０】
ステップ３０１において、１個の図柄分だけ、回転リール40を回転させる。すなわち、１個の図柄分だけ蹴飛ばしを行う。そして、次のステップ３０２に進む。
ステップ３０２において、上述した１個の図柄分だけ回転リール40を回転させた当該図柄61の数がストップスイッチ50の操作後の４個目に該当するか否かが判定される。ここで、ストップスイッチ50を押下操作した後、１図柄ずつ回転リール40を回転させてずらした図柄61の数が４個目の場合には、ステップ３０３に進む。一方、ストップスイッチ50を押下操作した後、１図柄ずつ回転リール40を回転させてずらした図柄61の数が４個目でない場合には、ステップ３００に戻る。
【００７１】
ステップ３０３において、回転リール40の回転を停止させる。これにより、遊技メダルの投入から回転リール40の回転停止までのスロットマシン10の動作が終了する。
ステップ３０４において、いずれかの図柄61に対して引き込みが設定されているか否かが判定される。ここで、いずれかの図柄61に対して引き込みが設定されていると判定された場合、ステップ３０５に進む。一方、いずれの図柄61に対しても引き込みが設定されていないと判定された場合、ステップ３０３に進む。
ステップ３０５において、引き込み設定が達成されたか否かが判定される。なお、引き込み設定が設定されていたがその引き込み設定を全て達成した場合と、引き込み設定は１つも設定されていなかった場合とは、いずれも引き込み設定は達成されたものとみなされる。ここで、引き込み設定が達成されたと判定された場合、ステップ３０３に進む。一方、引き込み設定が達成されていないと判定された場合、ステップ３０１に進む。
【００７２】
なお、上述した実施の形態において、回転リール40の回転停止処理に関してステップ３００からステップ３０５までに説明しているが、この例は、引き込み範囲内の図柄61のうち、基準位置に近い図柄61から条件を調査する、いわゆる最小引き込み停止制御の例である。逆に、引き込み範囲内の図柄61のうち、基準位置に遠い図柄61から条件を調査する、いわゆる最大引き込み停止制御としても良い。
更には、例えば、ストップスイッチ50を押下操作するタイミングにより、予め定めたテーブルに従って回転リール40の停止位置を決定する、いわゆるテーブル停止制御の方法によるものでも良いものである。このテーブル停止制御は、当選フラグ成立の有無や、当選フラグ成立中の入賞図柄配列に基づいた複数のテーブルを有し、この複数のテーブルから適宜、遊技状況に応じたテーブルが選択されるものである。
【００７３】
なお、テーブル停止制御においても、当選フラグが成立しているときには、その当選フラグに対応する入賞図柄配列が有効入賞ライン上に揃うように、予めテーブルの上で停止位置が決定されてあり、いわゆる引き込み設定の一種を備えているものである。また、当選フラグが成立していないときには、他の入賞図柄配列が有効入賞ライン上に揃わないように、予めテーブルの上で停止位置が決定されており、いわゆる蹴飛ばし設定の一種を備えているものである。
次に、スロットマシン10における不正検知処理について、図９のフローチャートを用いて説明する。
【００７４】
ステップ４００において、入力信号監視手段141により、スタートスイッチ30、ストップスイッチ50、ベットスイッチ16、及び投入スイッチ15のうちのいずれかのスイッチに係る信号が入力されたか否かが判定される。ここで、いずれかのスイッチに係る信号が入力されたと判定された場合、ステップ４０１に進む。一方、いずれのスイッチに係る信号も入力されていないと判定された場合、ステップ４００に戻る。
ステップ４０１において、入力信号フラグ成立手段142により、入力信号監視手段141の監視結果に基づいて、入力された信号に応じたフラグが立てられる。すなわち、入力信号フラグ成立手段142によりいずれのスイッチが操作等されたのかが記憶される。そして、次のステップ４０２に進む。
【００７５】
ステップ４０２において、入力間隔計測手段140により計時が開始される。そして、次のステップ４０３に進む。
ステップ４０３において、入力信号監視手段141により、スタートスイッチ30、ストップスイッチ50、ベットスイッチ16、及び投入スイッチ15のうちのいずれかのスイッチに係る信号が入力されたか否かが判定される。ここで、いずれかのスイッチに係る信号が入力されたと判定された場合、ステップ４０４に進む。一方、いずれのスイッチに係る信号も入力されていないと判定された場合、ステップ４０３に戻る。
ステップ４０４において、入力信号フラグ成立手段142により、入力信号監視手段141の監視結果に基づいて、入力された信号に応じたフラグが立てられる。すなわち、入力信号フラグ成立手段142によりいずれのスイッチが操作等されたのかが記憶される。そして、次のステップ４０５に進む。
【００７６】
ステップ４０５において、入力間隔計測手段140により計時が終了されることで、入力間隔が計測される。そして、次のステップ４０６に進む。
ステップ４０６において、スタートスイッチフラグ判断手段144により、成立している２個のフラグのうちのいずれかが、スタートスイッチ30に係る操作信号に応じたフラグであるか否かが判定される。ここで、成立している２個のフラグのうちのいずれかがスタートスイッチ30に係る操作信号に応じたフラグであると判定された場合、ステップ４０７に進む。一方、成立している２個のフラグのうちのいずれかがスタートスイッチ30に係る操作信号に応じたフラグでないと判定された場合、ステップ４１０に進む。
【００７７】
ステップ４０７において、入力間隔判断手段150により、入力間隔計測手段140により計測された入力間隔が予め定められた所定時間以内であるか否かが判定される。具体的には、入力間隔計測手段140により計測された入力間隔が０．１秒以内であるか否かが判定される。ここで、入力間隔計測手段140により計測された入力間隔が予め定められた所定時間以内であると判定された場合、ステップ４０８に進む。一方、入力間隔計測手段140により計測された入力間隔が予め定められた所定時間以内でないと判定された場合、ステップ４１０に進む。
ステップ４０８において、エラー処理実行手段240によりエラー処理が行われる。具体的には、エラー処理実行手段240により遊技の進行が不能化される。また、エラー処理実行手段240により遊技の進行が不能化されるのとほぼ同時に、報知制御手段200によりエラー報知が行われる。そして、次のステップ４０９に進む。
【００７８】
ステップ４０９において、フラグ消去手段250により成立している全てのフラグが消去される。そして、スロットマシン10における不正検知処理が終了する。
ステップ４１０において、フラグ消去手段250により成立している２個のフラグのうち先に成立したフラグが消去される。そして、ステップ４０２に戻る。
（作用・効果）
上述の如く、本実施の形態に係るスロットマシン10のスタートスイッチ30、ストップスイッチ50、及びベットスイッチ16は、所定数の遊技媒体をベットしているか、していないか、或いは、遊技中であるか、遊技中でないかを問わず、遊技者により操作されると、操作信号を出力するものとなっている。また、投入スイッチ15は、遊技媒体を検知すると検知信号を出力するものとなっている。
【００７９】
そして、本実施の形態に係るスロットマシン10では、スタートスイッチ30、ストップスイッチ50、ベットスイッチ16、及び投入スイッチ15に係る信号の入力が、入力信号監視手段141により常時監視され、入力信号監視手段141の監視結果に基づいて、入力された信号に応じたフラグが、入力信号フラグ成立手段142により立てられる。また、入力信号監視手段141の監視結果に基づいて、連続して入力される２個の信号の入力間隔が、入力間隔計測手段140により計測される。例えば、遊技者により、ベットスイッチ16が操作され、次にスタートスイッチ30が操作された場合には、入力間隔計測手段140は、スタートスイッチ30に係る操作信号の入力からベットスイッチ16に係る操作信号の入力までの入力間隔を計測する。また、例えば、遊技者により、ストップスイッチ50が操作され、次にスタートスイッチ30が操作された場合には、入力間隔計測手段140は、ストップスイッチ50に係る操作信号の入力からスタートスイッチ30に係る操作信号の入力までの入力間隔を計測する。そして、入力信号フラグ成立手段142により２個のフラグが成立していることを条件に、成立している２個のフラグのうちのいずれかが、スタートスイッチ30に係る操作信号に応じたフラグであるか否かが、スタートスイッチフラグ判断手段144により判断される。また、入力間隔計測手段140により計測された入力間隔が予め定められた所定時間（０．１秒）以内であるか否かが、入力間隔判断手段150により判断される。
【００８０】
そして、スタートスイッチフラグ判断手段144によりスタートスイッチ30に係る操作信号に応じたフラグが成立していると判断されたこと、及び入力間隔判断手段150により入力間隔が所定時間以内であると判断されたことを条件に、エラー処理実行手段240によりエラー処理が実行される。具体的には、エラー処理実行手段240により遊技の進行が不能化されるとともに、報知制御手段200によりエラー報知が行われる。
また、上述の如く、「体感器」による不正行為が行われる場合には、スタートスイッチ30は、所定数の遊技媒体をベットしているか、していないか、或いは、遊技中であるか、遊技中でないかを問わず、周期的に操作されることとなる。すなわち、「体感器」による不正行為が行われる場合には、スタートスイッチ30の操作と、スタートスイッチ30以外のいずれかのスイッチ（例えば、ストップスイッチ50等）の操作又は検知とが、ほぼ同時に行われる場合がある。
【００８１】
したがって、本実施の形態に係るスロットマシン10では、スタートスイッチ30に係る操作信号とスタートスイッチ30以外のいずれかのスイッチに係る信号との入力間隔が所定時間以内、すなわち、スタートスイッチ30の操作とスタートスイッチ30以外のいずれかのスイッチの操作又は検知とが、ほぼ同時に行われた場合に、エラー処理を行うので、「体感器」による不正行為を防止することが可能となる。
また、このような構成としても、「体感器」による不正行為が行われていない場合には、通常、スタートスイッチ30の操作とスタートスイッチ30以外のいずれかのスイッチの操作又は検知とが、ほぼ同時に行われるということは起こりにくいので、正規の遊技者の利便性を損なうことはない。仮に、スタートスイッチ30の操作とスタートスイッチ30以外のいずれかのスイッチの操作又は検知とが、ほぼ同時に行われたとしても、不自然な動作なので不正行為が行われたと判定してもさほど問題となることはない。
【００８２】
また、「体感器」による不正行為を行う遊技者は、不正行為がばれないように素早く遊技を行う傾向にある。しかしながら、本発明によれば、「体感器」による不正行為を行う遊技者は、スタートスイッチ30以外のいずれかのスイッチ（例えば、ストップスイッチ50）を操作する際に、周期的に行われるスタートスイッチ30の操作を気にして、タイミングを計って操作を行わなければならなくなる。したがって、「体感器」による不正行為を行う遊技者は、遊技を素早く行うことができなくなり、遊技場の店員等により不正行為を発見される可能性が高くなる。すなわち、「体感器」による不正行為をより確実に防止することが可能となる。
【００８３】
以上より、スタートスイッチ30の操作とスタートスイッチ30以外のいずれかのスイッチの操作又は検知とが、ほぼ同時に行われた場合に、エラー処理を行うことで、抽選に関する構成を変更することなく、「体感器」による不正行為を防止することが可能となる。
なお、本発明は、スロットマシン10以外の遊技機にも応用できるものである。例えば、遊技媒体として遊技球（パチンコ球）を用いてスロットマシン10と同様の遊技が行われるパロット（登録商標）遊技機などにも応用できるものである。
また、エラー処理実行手段240が実行するエラー処理としては、上記構成に限定されるものではなく、集中端子板からホールコンピュータに向けて、エラー検知信号を送信するようにしても良い。この場合には、エラー処理実行手段240を、スタートスイッチフラグ判断手段144によりスタートスイッチ30に係る操作信号に応じたフラグが成立していると判断されたこと、及び入力間隔判断手段150により入力間隔が所定時間以内であると判断されたことを条件に、集中端子板からエラー検知信号をホールコンピュータに送信させるように形成することができる。これにより、遊技店を管理する管理者は、「体感器」による不正行為が行われたことを知ることができることとなる。そして、管理者は、店員等に、「体感器」による不正行為が行われているか否かを目視により確認させることで、確実に「体感器」による不正行為を防止することが可能となる。
（変形例）
上記第１の実施の形態では、エラー制御手段210は、入力間隔計測手段140により入力間隔が計測されることで、行われるものであった。しかしながら、エラー制御手段210は、連続して入力される２個の信号の入力間隔を計測するものに限定されるものではない。例えば、上記第１の実施の形態のスロットマシン10が備える「入力間隔計測手段140」に代えて、「計時手段143」を備えることができる。また、上記第１の実施の形態のスロットマシン10が備える「入力間隔判断手段150」に代えて、「計時時間判断手段260」を備えることができる。以下、上記第１の実施の形態の変形例について説明する。
（計時手段143）
計時手段143は、入力信号監視手段141の監視結果に基づいて、いずれかのスイッチに係る信号の入力を契機に、計時を開始するためのものである。
【００８４】
本実施の形態において、計時手段143は、エラー処理実行手段240によりエラー処理が実行される場合を除き、いずれかのスイッチに係る信号の入力を契機に、計時を開始するものとなっている。すなわち、計時手段143は、エラー処理実行手段240によりエラー処理が実行される場合を除き、いずれかのスイッチに係る信号が入力されるたびに、計時を開始するものとなっている。
（計時時間判断手段260）
計時時間判断手段260は、計時手段143により計時される時間が、予め定められた所定時間経過したか否かを判断するためのものである。
【００８５】
本実施の形態において、所定時間は、０．１秒に設定されている。すなわち、計時時間判断手段260は、計時手段143により計時される時間が、０．１秒経過したか否かを判断するものとなっている。
（エラー処理実行手段240）
エラー処理実行手段240は、スタートスイッチフラグ判断手段144によりスタートスイッチ30に係る操作信号に応じたフラグが成立していると判断されたこと、及び計時時間判断手段260により計時時間が所定時間経過したと判断されたことを条件に、エラー処理を実行するためのものである。
【００８６】
なお、エラー処理については、上記第１の実施の形態と同様である。
（スロットマシン10の動作）
次に、上記構成を備えたスロットマシン10の不正検知処理の概略について、図１０に示したフローチャートを用いて説明する。なお、スロットマシン10の遊技の動作、当選抽選処理、及び回転停止処理については、上記第１の実施の形態と同様である。
ステップ５００において、入力信号監視手段141により、スタートスイッチ30、ストップスイッチ50、ベットスイッチ16、及び投入スイッチ15のうちのいずれかのスイッチに係る信号が入力されたか否かが判定される。ここで、いずれかのスイッチに係る信号が入力されたと判定された場合、ステップ５０１に進む。一方、いずれのスイッチに係る信号も入力されていないと判定された場合、ステップ５００に戻る。
【００８７】
ステップ５０１において、入力信号フラグ成立手段142により、入力信号監視手段141の監視結果に基づいて、入力された信号に応じたフラグが立てられる。すなわち、入力信号フラグ成立手段142によりいずれのスイッチが操作等されたのかが記憶される。そして、次のステップ５０２に進む。
ステップ５０２において、計時手段143により計時が開始される。そして、次のステップ５０３に進む。
ステップ５０３において、計時時間判断手段260により、計時手段143により計時される時間が、所定時間経過したか否かが判定される。具体的には、計時時間判断手段260により、計時手段143により計時される時間が、０．１秒経過したか否かが判定される。ここで、所定時間経過していないと判定された場合、ステップ５０４に進む。一方、所定時間経過したと判定された場合、ステップ５０９に進む。
【００８８】
ステップ５０４において、入力信号監視手段141により、スタートスイッチ30、ストップスイッチ50、ベットスイッチ16、及び投入スイッチ15のうちのいずれかのスイッチに係る信号が入力されたか否かが判定される。ここで、いずれかのスイッチに係る信号が入力されたと判定された場合、ステップ５０５に進む。一方、いずれのスイッチに係る信号も入力されていないと判定された場合、ステップ５０３に戻る。
ステップ５０５において、入力信号フラグ成立手段142により、入力信号監視手段141の監視結果に基づいて、入力された信号に応じたフラグが立てられる。すなわち、入力信号フラグ成立手段142によりいずれのスイッチが操作等されたのかが記憶される。そして、次のステップ５０６に進む。
【００８９】
ステップ５０６において、計時が終了する。そして、次のステップ５０７に進む。
ステップ５０７において、スタートスイッチフラグ判断手段144により、成立している２個のフラグのうちのいずれかが、スタートスイッチ30に係る操作信号に応じたフラグであるか否かが判定される。ここで、成立している２個のフラグのうちのいずれかがスタートスイッチ30に係る操作信号に応じたフラグであると判定された場合、ステップ５０８に進む。一方、成立している２個のフラグのうちのいずれかがスタートスイッチ30に係る操作信号に応じたフラグでないと判定された場合、ステップ５１０に進む。
ステップ５０８において、エラー処理実行手段240によりエラー処理が行われる。具体的には、エラー処理実行手段240により遊技の進行が不能化される。また、エラー処理実行手段240により遊技の進行が不能化されるのとほぼ同時に、報知制御手段200によりエラー報知が行われる。そして、次のステップ５０９に進む。
【００９０】
ステップ５０９において、フラグ消去手段250により成立している全てのフラグが消去される。そして、スロットマシン10における不正検知処理が終了する。
ステップ５１０において、フラグ消去手段250により成立している２個のフラグのうち先に成立したフラグが消去される。そして、ステップ５０２に戻る。
以上より、このような構成としても、上記第１の実施の形態と同様の作用・効果を奏することとなる。
（２）第２の実施の形態
以下、本発明の第２の実施の形態について説明する。
（図面の説明）
図１１から図１２までは、本発明の第２の実施の形態を示すものである。
【００９１】
図１１は、スロットマシン10の入力、制御及び出力を示すブロック図である。図１２は、スロットマシン10の動作のうち、不正検知処理の概略を示すフローチャートである。また、第１の実施の形態で使用した図１、図３、図４、図６、図７、及び図８は、そのまま本実施の形態でも適用するものである。
（本実施の形態の概略）
本実施の形態に係る遊技機は、スロットマシン10であって、遊技媒体として、遊技メダルを使用するものである。
また、上記第１の実施の形態では、スタートスイッチ30に係る操作信号とスタートスイッチ30以外のいずれかのスイッチに係る信号との入力間隔であって、連続して入力される２個の信号の入力間隔が所定時間以内であった場合に、エラー処理を行うものであった。これに対して、本発明の第２の実施の形態では、いずれかのスイッチに係る信号の入力から、前記スイッチに係る信号の後に入力される前記スイッチ以外のいずれかのスイッチに係る信号の入力までの時間間隔が、以前に計測された同一スイッチ間の時間間隔と比較して、その時間差が所定範囲内であった場合に、エラー処理を行うものである。
【００９２】
具体的には、本発明の第２の実施の形態に係るスロットマシン10は、上記第１の実施の形態に係るスロットマシン10が備える「報知装置66」、「エラー制御手段210」、「報知データ記憶手段190」、及び「報知制御手段200」以外の点については、第１の実施の形態と同様である。
以下、相違点を中心に第２の実施の形態を説明する。
（報知装置66）
報知装置66は、後述する時間間隔判断手段230により、時間間隔計測手段220により計測された時間間隔と以前に計測された同一スイッチ間の時間間隔との時間差が予め定められた所定範囲内であると判断された場合に、エラー報知を行うためのものである。具体的には、報知装置66は、図１に示すように、筐体11に埋め込まれた左右のスピーカ67と、表示窓12の上部中央に配置された液晶表示装置からなる表示装置69と、表示窓12の周囲縁に配置された５個の報知ランプ68とを備えているものである。そして、エラー報知は、後述する時間間隔判断手段230により時間差が所定範囲内であると判断された場合に、例えば、表示装置69に「エラー」や、「ＥＲＲＯＲ」等と表示したり、報知ランプ68を点滅したり、スピーカ67から警告音を発生したりすることにより行われるものである。
【００９３】
また、第１の実施の形態と同様に、報知装置66は、当選や入賞等を、音や光や映像で遊技者に報知するようにも形成されている。具体的には、報知装置66は、当選時や入賞時にスピーカ67から当選音や入賞音を発生させ、報知ランプ68を点灯又は点滅させることにより、また、表示装置69に図柄模様や文字列を点灯表示させることにより、遊技者に当選や入賞等を報知するものとなっている。
（時間間隔計測手段220）
時間間隔計測手段220は、いずれかのスイッチに係る信号の入力から、前記スイッチに係る信号の後に入力される前記スイッチ以外のいずれかのスイッチに係る信号の入力までの時間間隔を計測するためのものである。本実施の形態では、時間間隔計測手段220は、１回の遊技におけるベットスイッチ16に係る操作信号の入力から、スタートスイッチ30に係る操作信号の入力までの時間間隔を計測するように設定されている。
【００９４】
また、本実施の形態では、時間間隔計測手段220は、計測した時間間隔を所定の記憶領域に記憶するように設定されている。具体的には、時間間隔計測手段220は、１個のデータを記憶するよう設定されている。すなわち、時間間隔計測手段220は、計測した時間間隔を記憶する際に、以前に計測した時間間隔のデータを消去し、新たに計測した時間間隔のデータを記憶するように設定されている。
（時間間隔判断手段230）
時間間隔判断手段230は、時間間隔計測手段220により計測された時間間隔と以前に計測された同一スイッチ間の時間間隔との時間差が予め定められた所定範囲内であるか否かを判断するためのものである。本実施の形態では、所定範囲は、０．１秒以内に設定されている。したがって、時間間隔判断手段230は、時間間隔計測手段220により計測された１回の遊技におけるベットスイッチ16に係る操作信号の入力から、スタートスイッチ30に係る操作信号の入力までの時間間隔と以前に計測された同一スイッチ間の時間間隔との時間差が、０．１秒以内であるか否かを判断する。
（エラー制御手段210）
エラー制御手段210は、時間間隔判断手段230により同一スイッチ間の時間間隔の時間差が所定範囲内であると判断された場合に、エラー処理を行うためのものである。本実施の形態では、エラー制御手段210は、時間間隔判断手段230により同一スイッチ間の時間間隔の時間差が所定範囲内であると判断された場合に、遊技の進行を不能化する。また、エラー制御手段210は、報知制御手段200にエラー報知指示信号を送信する。
（報知データ記憶手段190）
報知データ記憶手段190は、時間間隔判断手段230により同一スイッチ間の時間間隔の時間差が所定範囲内であると判断された場合に行われるエラー報知に係る報知データを記憶するためのものである。具体的には、報知データ記憶手段190は、時間間隔判断手段230により同一スイッチ間の時間間隔の時間差が所定範囲内であると判断された場合に、スピーカ67から発生させるサウンドや、報知ランプ68の点灯、点滅の時間や順序等のデータや、表示装置69に表示される図柄模様及び文字列のデータが記憶されている。
【００９５】
また、第１の実施の形態と同様に、報知データ記憶手段190は、エラー報知に係る報知データの他に演出データも記憶されている。具体的には、例えば、報知データ記憶手段190は、所定の当選役に当選し、該当選役の入賞時に、報知装置66のスピーカ67から発生させるサウンドや、報知ランプ68の点灯、点滅の時間や順序等のデータや、表示装置69に表示される図柄模様及び文字列のデータが記憶されている。
（報知制御手段200）
報知制御手段200は、主制御装置21からの制御信号に基づいて、報知データ記憶手段190の各報知データを報知装置66に出力し、かかる報知装置66を制御するものである。本実施の形態では、報知制御手段200は、時間間隔判断手段230により同一スイッチ間の時間間隔の時間差が所定範囲内であると判断された場合に報知データ記憶手段190の報知データに基づいて、報知装置66にエラー報知を行わせるものである。具体的には、エラー制御手段210からのエラー報知指示信号を受信した場合に、報知ランプ68を点灯、点滅させたり、スピーカ67から所定の警告音を発生させたり、表示装置69に「エラー」や、「ＥＲＲＯＲ」等と表示させたりするものである。
【００９６】
また、上記第１の実施の形態と同様に、報知制御手段200は、ＢＢゲーム、ＲＢゲーム（独立ＲＢゲーム及び従属ＲＢゲーム）、及び他の小役等の当選フラグが成立したとき、又は所定の当選フラグ成立中に所定の有効入賞ライン上に当該入賞図柄配列が揃うことにより入賞したときに、報知データ記憶手段190の演出データに基づいて、報知ランプ68を点灯、点滅させたり、スピーカ67から所定の電子音を発生させたり、表示装置69に所定の図柄模様及び文字列を表示させたりするようにも形成されている。
（スロットマシン10の動作）
次に、上記構成を備えたスロットマシン10の不正検知処理の概略について、図１２に示したフローチャートを用いて説明する。なお、スロットマシン10の遊技の動作、当選抽選処理、及び回転停止処理については、上記第１の実施の形態と同様である。
【００９７】
ステップ６００において、ベットスイッチ16に係る操作信号が入力されたか否かが判定される。ここで、ベットスイッチ16に係る操作信号が入力されたと判定された場合、ステップ６０１に進む。一方、ベットスイッチ16に係る操作信号が入力されていないと判定された場合、ステップ６００に戻る。
ステップ６０１において、時間間隔計測手段220により時間間隔の計測が開始される。そして、次のステップ５０２に進む。
ステップ６０２において、スタートスイッチ30に係る操作信号が入力されたか否かが判定される。ここで、スタートスイッチ30に係る操作信号が入力されたと判定された場合、ステップ６０３に進む。一方、スタートスイッチ30に係る操作信号が入力されていないと判定された場合、ステップ６０２に戻る。
【００９８】
ステップ６０３において、時間間隔計測手段220により時間間隔が取得される。そして、次のステップ６０４に進む。
ステップ６０４において、時間間隔判断手段230により、時間間隔計測手段220により計測された時間間隔と、以前に計測された同一スイッチ間の時間間隔とが比較される。そして、次のステップ６０５に進む。
ステップ６０５において、時間間隔判断手段230により、時間間隔計測手段220により計測された時間間隔と以前に計測された同一スイッチ間の時間間隔との時間差が所定範囲内であるか否かが判定される。ここで、時間間隔計測手段220により計測された時間間隔と以前に計測された同一スイッチ間の時間間隔との時間差が所定範囲内であると判定された場合、ステップ６０６に進む。一方、時間間隔計測手段220により計測された時間間隔と以前に計測された同一スイッチ間の時間間隔との時間差が所定範囲内でないと判定された場合、ステップ６０７に進む。
【００９９】
ステップ６０６において、エラー制御手段210によりエラー処理が行われる。具体的には、エラー制御手段210により遊技の進行が不能化される。また、エラー制御手段210により遊技の進行が不能化されるのとほぼ同時に、報知制御手段200によりエラー報知が行われる。そして、次のステップ６０７に進む。
ステップ６０７において、時間間隔計測手段220により計測した時間間隔が記憶される。そして、スロットマシン10における不正検知処理が終了する。
（作用・効果）
上述の如く、本実施の形態に係るスロットマシン10では、時間間隔計測手段220により、１回の遊技におけるベットスイッチ16に係る操作信号の入力から、スタートスイッチ30に係る操作信号の入力までの時間間隔が計測される。そして、時間間隔判断手段230により、時間間隔計測手段220により計測された時間間隔と以前に計測された同一スイッチ間の時間間隔との時間差が予め定められた所定範囲内であるか否かが判断される。具体的には、時間間隔判断手段230は、時間間隔計測手段220により計測された時間間隔と以前に計測された同一スイッチ間の時間間隔との時間差が０．１秒以内であるか否かを判断する。
【０１００】
そして、時間間隔判断手段230により同一スイッチ間の時間間隔の時間差が所定範囲（０．１秒）内であると判断された場合には、エラー制御手段210により、エラー処理が行われることとなる。具体的には、エラー制御手段210は、遊技の進行を不能化する。また、遊技の進行が不能化されるのとほぼ同時に、報知制御手段200により、エラー報知が行われる。
また、上述の如く、「打ち込み機」による不正行為によれば、「打ち込み機」からスタートスイッチ30等の各スイッチに係る信号に相当する信号が機械的に制御装置20に入力されることとなる。すなわち、１回の遊技におけるベットスイッチ16に係る操作信号の入力から、スタートスイッチ30に係る操作信号の入力までの時間間隔が、毎ゲームほぼ一定の間隔になることとなる。
【０１０１】
したがって、本実施の形態に係るスロットマシン10では、１回の遊技におけるベットスイッチ16に係る操作信号の入力から、スタートスイッチ30に係る操作信号の入力までの時間間隔が、以前に計測された同一スイッチ間の時間間隔と比較してほぼ同一の場合に、エラー処理を行うので、「打ち込み機」による不正行為を防止することが可能となる。
また、このような構成としても、「打ち込み機」による不正行為が行われていない場合には、通常、１回の遊技におけるベットスイッチ16に係る操作信号の入力から、スタートスイッチ30に係る操作信号の入力までの時間間隔が、以前に計測された同一スイッチ間の時間間隔と比較してほぼ同一になることは起こりにくいので、正規の遊技者の利便性を損なうことはない。
【０１０２】
なお、本発明は、スロットマシン10以外の遊技機にも応用できるものである。例えば、遊技媒体として遊技球（パチンコ球）を用いてスロットマシン10と同様の遊技が行われるパロット（登録商標）遊技機などにも応用できるものである。
（変形例）
上記第２の実施の形態では、時間間隔計測手段220は、計測した時間間隔のデータを１個記憶するように設定されているものであった。また、時間間隔判断手段230は、時間間隔計測手段220により計測された時間間隔を、以前に計測された１個の時間間隔のデータと比較するものであった。しかしながら、時間間隔判断手段230は、これに限定されるものではなく、時間間隔計測手段220により計測された時間間隔を、以前に計測された複数個（例えば、３個）の時間間隔のデータそれぞれと比較するようにしても良い。具体的には、時間間隔計測手段220を、計測した時間間隔のデータを複数個（例えば、３個）記憶することができるように設定する。また、時間間隔判断手段230を、時間間隔計測手段220により計測された時間間隔と以前に計測された複数個（例えば、３個）の時間間隔のデータそれぞれとを比較するとともに、各々の時間間隔の時間差が予め定められた所定範囲内であるか否かを判断するように設定する。また、エラー制御手段210を、時間間隔判断手段230により各々の時間間隔の時間差が全て所定範囲内であると判断された場合に、エラー処理を行うように設定する。
【０１０３】
例えば、時間間隔計測手段220により３個の時間間隔のデータが記憶されているとする。この場合において、時間間隔判断手段230は、時間間隔計測手段220により計測された時間間隔と、以前に計測されて記憶されている第一番目の時間間隔のデータとを比較して、その時間差が所定範囲内（０．１秒以内）であるか否かを判断する。次に、時間間隔判断手段230は、時間間隔計測手段220により計測された時間間隔と、以前に計測されて記憶されている第二番目の時間間隔のデータとを比較して、その時間差が所定範囲内（０．１秒以内）であるか否かを判断する。最後に、時間間隔判断手段230は、時間間隔計測手段220により計測された時間間隔と、以前に計測されて記憶されている第三番目の時間間隔のデータとを比較して、その時間差が所定範囲内（０．１秒以内）であるか否かを判断する。
【０１０４】
そして、エラー制御手段210は、時間間隔判断手段230により各々の時間間隔の時間差が全て所定範囲内（０．１秒以内）であると判断された場合に、エラー処理を行う。
このような構成としても、上記第２の実施の形態と同様の作用・効果を奏することとなる。
また、上記第２の実施の形態では、時間間隔計測手段220は、１回の遊技におけるベットスイッチ16に係る操作信号の入力から、スタートスイッチ30に係る操作信号の入力までの時間間隔を計測するものであった。しかしながら、時間間隔計測手段220は、これに限定されるものではない。
【０１０５】
ここで、３個のストップスイッチ50に係る各操作信号について、１回の遊技において、制御装置20に最初に入力される操作信号を第１停止操作信号とし、次に入力される操作信号を第２停止操作信号とし、最後に入力される操作信号を第３停止操作信号とする。
そして、例えば、時間間隔計測手段220は、１回の遊技における、投入スイッチ15に係る検知信号あるいはベットスイッチ16に係る操作信号の入力から、スタートスイッチ30に係る操作信号、第１停止操作信号、第２停止操作信号、及び第３停止操作信号のうちのいずれかの信号の入力までの時間間隔を計測するようにしても良い。また、第１停止操作信号から、第２停止操作信号、第３停止操作信号、次遊技における、投入スイッチ15に係る検知信号、ベットスイッチ16に係る操作信号、及びスタートスイッチ30に係る操作信号のうちのいずれかの信号の入力までの時間間隔を計測するようにしても良い。また、第２停止操作信号から、第３停止操作信号、次遊技における、投入スイッチ15に係る検知信号、ベットスイッチ16に係る操作信号、スタートスイッチ30に係る操作信号、及び第１停止操作信号のうちのいずれかの信号の入力までの時間間隔を計測するようにしても良い。また、第３停止操作から、次遊技における、投入スイッチ15に係る検知信号、ベットスイッチ16に係る操作信号、スタートスイッチ30に係る操作信号、第１停止操作信号、及び第２停止操作信号のうちのいずれかの信号の入力までの時間間隔を計測するようにしても良い。
【０１０６】
そして、上記いずれの構成においても、第２の実施の形態と同様の作用・効果を奏することとなる。
【図面の簡単な説明】
【０１０７】
【図１】本発明の第１の実施の形態であって、スロットマシンを示す外観正面図である。
【図２】本発明の第１の実施の形態であって、スロットマシンの入力、制御及び出力を示すブロック図である。
【図３】本発明の第１の実施の形態であって、遊技制御手段を示すブロック図である。
【図４】本発明の第１の実施の形態であって、当選抽選手段を示すブロック図である。
【図５】本発明の第１の実施の形態であって、エラー制御手段を示すブロック図である。
【図６】本発明の第１の実施の形態であって、スロットマシンの遊技の動作の概略を示すフローチャートである。
【図７】本発明の第１の実施の形態であって、スロットマシンの動作のうち、当選抽選処理の概略を示すフローチャートである。
【図８】本発明の第１の実施の形態であって、スロットマシンの動作のうち、回転リールの回転停止処理の概略を示すフローチャートである。
【図９】本発明の第１の実施の形態であって、スロットマシンの動作のうち、不正検知処理の概略を示すフローチャートである。
【図１０】本発明の第１の実施の形態の変形例であって、スロットマシンの動作のうち、不正検知処理の概略を示すフローチャートである。
【図１１】本発明の第２の実施の形態であって、スロットマシンの入力、制御及び出力を示すブロック図である。
【図１２】本発明の第２の実施の形態であって、スロットマシンの動作のうち、不正検知処理の概略を示すフローチャートである。
【符号の説明】
【０１０８】
10  スロットマシン                        11  筐体
12  表示窓                                13  図柄表示窓
14  前扉                                  15  投入スイッチ
16  ベットスイッチ                        17  精算スイッチ
18  メダル投入口                          19  遊技媒体投入口
20  制御装置                              21  主制御装置
22  副制御装置                            30  スタートスイッチ
31  払い出し口                            32  払い出し皿
40  回転リール                            41  リールテープ
42  左リール                              43  中リール
44  右リール                              50  ストップスイッチ
51  左ストップスイッチ                    52  中ストップスイッチ
53  右ストップスイッチ                    60  リールユニット
61  図柄                                  62  モータードライバ
63  駆動モータ                            65  ホッパーユニット
66  報知装置                              67  スピーカ
68  報知ランプ                            69  表示装置
100  遊技制御手段                        110  通常遊技制御手段
120  特別遊技制御手段                    121  特定導入遊技制御手段
123  特定遊技制御手段                    130  当選抽選手段
131  当選乱数発生手段                    132  当選乱数抽出手段
133  当選判定テーブル記憶手段            134  当選判定手段
140  入力間隔計測手段                    141  入力信号監視手段
142  入力信号フラグ成立手段              143  計時手段
144  スタートスイッチフラグ判断手段      150  入力間隔判断手段
160  停止制御手段                        170  入賞判定手段
180  ホッパー制御手段                    190  報知データ記憶手段
200  報知制御手段                        210  エラー制御手段
220  時間間隔計測手段                    230  時間間隔判断手段
240  エラー処理実行手段                  250  フラグ消去手段
260  計時時間判断手段
【図１】
2010136755.tif 000003
【図２】
2010136755.tif 000004
【図３】
2010136755.tif 000005
【図４】
2010136755.tif 000006
【図５】
2010136755.tif 000007
【図６】
2010136755.tif 000008
【図７】
2010136755.tif 000009
【図８】
2010136755.tif 000010
【図９】
2010136755.tif 000011
【図１０】
2010136755.tif 000012
【図１１】
2010136755.tif 000013
【図１２】
2010136755.tif 000014